(57)【要約】【課題】逆浸透膜モジュールにより分離された濃縮水のシリカ濃度値を簡易な構成で精度よく検出することができ、精度よく検出された濃縮水のシリカ濃度値に基づいて回収率を調整して、シリカ系スケールの析出を抑制することができる水処理装置を提供すること。【解決手段】第１逆浸透膜モジュール７により分離された第１濃縮水Ｗ３に、水処理装置内を流通する希釈水Ｗ２を混合して第１希釈濃縮水Ｗ３０を製造する希釈手段１８と、希釈水Ｗ２のシリカ濃度を第１検出シリカ濃度値Ｃｐとして検出する第１シリカ濃度検出手段ＳＳ１と、第１希釈濃縮水Ｗ３０のシリカ濃度を第２検出シリカ濃度値Ｃｍとして検出する第２シリカ濃度検出手段ＳＳ２と、第１検出シリカ濃度値Ｃｐと第２検出シリカ濃度値Ｃｍとから演算された第１濃縮水Ｗ３の演算シリカ濃度値Ｃｃが許容シリカ濃度値Ｃａとなるように、回収率を調整する制御部３０と、を備える。【選択図】図２Ｂ
2015166068.tif 000002
【特許請求の範囲】
【請求項１】
水処理装置であって、
供給水を第１透過水と第１濃縮水とに分離する第１逆浸透膜モジュールと、
前記第１逆浸透膜モジュールにより分離された第１濃縮水に、前記水処理装置内を流通する希釈水を混合して第１希釈濃縮水を製造する希釈手段と、
前記水処理装置内を流通する希釈水のシリカ濃度を第１検出シリカ濃度値として検出する第１シリカ濃度検出手段と、
前記希釈手段により製造された第１希釈濃縮水のシリカ濃度を第２検出シリカ濃度値として検出する第２シリカ濃度検出手段と、
前記第１検出シリカ濃度値と前記第２検出シリカ濃度値とから、前記第１逆浸透膜モジュールにより分離された第１濃縮水のシリカ濃度を演算シリカ濃度値として演算し、前記演算シリカ濃度値が許容シリカ濃度値となるように、前記第１逆浸透膜モジュールへ供給される供給水の流量に対する第１透過水の流量の比率である回収率を調整する制御部と、
を備える水処理装置。
【請求項２】
前記水処理装置内を流通する希釈水は、前記第１逆浸透膜モジュールにより分離された第１透過水である
請求項１に記載の水処理装置。
【請求項３】
前記第１逆浸透膜モジュールで分離された第１透過水を、第２透過水と第２濃縮水とに分離する第２逆浸透膜モジュールを更に備え、
前記水処理装置内を流通する希釈水は、前記第２逆浸透膜モジュールにより分離された第２透過水である
請求項１に記載の水処理装置。
【請求項４】
前記第１逆浸透膜モジュールで分離された第１透過水を脱イオン処理して、脱イオン水と濃縮水とを得る脱イオン部を更に備え、
前記水処理装置内を流通する希釈水は、前記脱イオン部により得られた脱イオン水である
請求項１に記載の水処理装置。
【請求項５】
供給水の温度又は前記第１逆浸透膜モジュールにより分離された第１濃縮水の温度を検出温度値として検出する温度検出手段を備え、
前記制御部は、前記許容シリカ濃度値を、前記検出温度値から決定した第１濃縮水のシリカ溶解度に安全率を乗じて算出する
請求項１から４のいずれかに記載の水処理装置。
【請求項６】
Ｖｃを第１濃縮水のサンプル水量値とし、Ｖｐを希釈水のサンプル水量値とし、Ｃｃを第１濃縮水の演算シリカ濃度値とし、Ｃｐを希釈水の第１検出シリカ濃度値とし、Ｃｍを第１希釈濃縮水の第２検出シリカ濃度値とした場合に、前記制御部は、Ｃｃ＝［Ｃｍ・（Ｖｃ＋Ｖｐ）−Ｃｐ・Ｖｐ］／Ｖｃの計算式より、第１濃縮水の前記演算シリカ濃度値Ｃｃを演算する
請求項１から５のいずれかに記載の水処理装置。
【請求項７】
前記制御部は、前記第１逆浸透膜モジュールにより分離された第１透過水の流量を一定に維持すると共に、前記第１逆浸透膜モジュールにより分離された第１濃縮水の流量を増減させて、前記演算シリカ濃度値が前記許容シリカ濃度値となるように、前記回収率を調整する
請求項１から６のいずれかに記載の水処理装置。
【請求項８】
前記制御部は、前記第１逆浸透膜モジュールにより分離された第１濃縮水の流量を一定に維持すると共に、前記第１逆浸透膜モジュールにより分離された第１透過水の流量を増減させて、前記演算シリカ濃度値が前記許容シリカ濃度値となるように、前記回収率を調整する
請求項１から６のいずれかに記載の水処理装置。
【請求項９】
前記希釈手段は、前記第１逆浸透膜モジュールにより分離された第１濃縮水と希釈水とが混合される混合槽と、前記第１逆浸透膜モジュールにより分離された第１濃縮水の水圧により前記混合槽に導入される際に駆動される駆動部と、前記駆動部の駆動に従動して駆動される従動部であって前記混合槽へ向けて水圧を発生させて前記第１濃縮水の水圧よりも低い水圧の希釈水を前記混合槽に導入する従動部と、を有する
請求項１から８のいずれかに記載の水処理装置。
【請求項１０】
前記第１シリカ濃度検出手段及び前記第２シリカ濃度検出手段は、２以上の異なる濃度測定レンジを切替可能な単一のシリカ濃度測定手段により構成される
請求項１から９のいずれかに記載の水処理装置。
【請求項１１】
前記第１逆浸透膜モジュールは、複数のサブモジュールを備え、
前記複数のサブモジュールは、前記複数のサブモジュールそれぞれから分離された濃縮水が次のサブモジュールに供給されるように直列に接続され、
前記水処理装置は、前記複数のサブモジュールのうちの最下流側以外のサブモジュールから排出される濃縮水のシリカ濃度を第３検出シリカ濃度値として検出する第３シリカ濃度検出手段と、警報を報知する報知手段と、を備え、
前記制御部は、前記第３検出シリカ濃度値が所定閾値を上回る場合に、前記報知手段による報知を実行する
請求項１から１０のいずれかに記載の水処理装置。
【請求項１２】
水処理装置であって、
供給水を第１透過水と第１濃縮水とに分離する第１逆浸透膜モジュールと、
前記第１逆浸透膜モジュールにより分離された第１透過水を脱イオン処理して、脱イオン水と濃縮水とを得る脱イオン部と、
前記第１逆浸透膜モジュールにより分離された第１濃縮水に、前記水処理装置内を流通する希釈水としての脱イオン水を混合して第２希釈濃縮水を製造する希釈手段と、
前記希釈手段により製造された第２希釈濃縮水のシリカ濃度を第４検出シリカ濃度値として検出する第４シリカ濃度検出手段と、
前記脱イオン部により得られた希釈水としての脱イオン水のシリカ濃度をゼロと看做して、前記第４検出シリカ濃度値から、前記第３逆浸透膜モジュールにより分離された第３濃縮水のシリカ濃度を演算シリカ濃度値として演算し、前記演算シリカ濃度値が許容シリカ濃度値となるように、前記第１逆浸透膜モジュールへ供給される供給水の流量に対する第１透過水の流量の比率である回収率を調整する制御部と、
を備える水処理装置。
【発明の詳細な説明】
【技術分野】
【０００１】
本発明は、逆浸透膜モジュールを備えた水処理装置に関する。
【背景技術】
【０００２】
医薬品や化粧品の製造、電子部品や精密機器の洗浄等においては、不純物を含まない高純度の純水が使用される。この種の純水は、一般に、地下水、水道水等の供給水を膜分離装置で処理し、得られた透過水を精製することにより製造される。膜分離装置は、少なくとも１段の逆浸透膜モジュールを備えており、供給水から透過水と濃縮水とを製造することができる。以下の説明においては、逆浸透膜モジュールを「ＲＯ膜モジュール」、逆浸透膜を「ＲＯ膜」ともいう。
【０００３】
ＲＯ膜モジュールにおいては、原水に含まれるシリカがＲＯ膜の表面にスケールとして析出される現象が発生する。ＲＯ膜の表面にスケールの析出が発生すると、透水能力が低下する。このため、ＲＯ膜モジュールを備えた逆浸透膜分離装置においては、ＲＯ膜の表面にスケールの析出が発生しないように運転することが肝要となる。
【０００４】
従来、シリカ系スケールの析出を抑制するために、シリカ濃度センサ（シリカ濃度検出手段）を備え、濃縮水のシリカ濃度がシリカ溶解度を超えない範囲に、ＲＯ膜モジュールへ供給される供給水の流量に対する透過水の流量の比率である回収率を調整して運転する逆浸透膜分離装置が知られている（例えば、特許文献１参照）。
【先行技術文献】
【特許文献】
【０００５】
【特許文献１】特開２００５−８１２５４号公報
【発明の概要】
【発明が解決しようとする課題】
【０００６】
上記特許文献１に記載された逆浸透膜分離装置では、濃縮水のシリカ濃度が高いため、従来の簡易な構成のシリカ濃度センサでは、濃縮水のシリカ濃度を精度よく検出することが難しかった。そのため、回収率の調整に際して、濃縮水のシリカ濃度を正確に検出することができない場合には、濃縮水のシリカ濃度を調整することが難しく、シリカ系スケールの析出が抑制することが難しくなる。
【０００７】
従って、本発明は、逆浸透膜モジュールにより分離された濃縮水のシリカ濃度値を簡易な構成で精度よく検出することができ、精度よく検出された濃縮水のシリカ濃度値に基づいて回収率を調整して、シリカ系スケールの析出を抑制することができる水処理装置を提供することを目的とする。
【課題を解決するための手段】
【０００８】
本発明は、水処理装置であって、供給水を第１透過水と第１濃縮水とに分離する第１逆浸透膜モジュールと、前記第１逆浸透膜モジュールにより分離された第１濃縮水に、前記水処理装置内を流通する希釈水を混合して第１希釈濃縮水を製造する希釈手段と、前記水処理装置内を流通する希釈水のシリカ濃度を第１検出シリカ濃度値として検出する第１シリカ濃度検出手段と、前記希釈手段により製造された第１希釈濃縮水のシリカ濃度を第２検出シリカ濃度値として検出する第２シリカ濃度検出手段と、前記第１検出シリカ濃度値と前記第２検出シリカ濃度値とから、前記第１逆浸透膜モジュールにより分離された第１濃縮水のシリカ濃度を演算シリカ濃度値として演算し、前記演算シリカ濃度値が許容シリカ濃度値となるように、前記第１逆浸透膜モジュールへ供給される供給水の流量に対する第１透過水の流量の比率である回収率を調整する制御部と、を備える水処理装置に関する。
【０００９】
また、前記水処理装置内を流通する希釈水は、前記第１逆浸透膜モジュールにより分離された第１透過水であることが好ましい。
【００１０】
また、前記第１逆浸透膜モジュールで分離された第１透過水を、第２透過水と第２濃縮水とに分離する第２逆浸透膜モジュールを更に備え、前記水処理装置内を流通する希釈水は、前記第２逆浸透膜モジュールにより分離された第２透過水であることが好ましい。
【００１１】
前記第１逆浸透膜モジュールで分離された第１透過水を脱イオン処理して、脱イオン水と濃縮水とを得る脱イオン部を更に備え、前記水処理装置内を流通する希釈水は、前記脱イオン部により得られた脱イオン水であることが好ましい。
【００１２】
供給水の温度又は前記第１逆浸透膜モジュールにより分離された第１濃縮水の温度を検出温度値として検出する温度検出手段を備え、前記制御部は、前記許容シリカ濃度値を、前記検出温度値から決定した第１濃縮水のシリカ溶解度に安全率を乗じて算出することが好ましい。
【００１３】
また、Ｖｃを第１濃縮水のサンプル水量値とし、Ｖｐを希釈水のサンプル水量値とし、Ｃｃを第１濃縮水の演算シリカ濃度値とし、Ｃｐを希釈水の第１検出シリカ濃度値とし、Ｃｍを第１希釈濃縮水の第２検出シリカ濃度値とした場合に、前記制御部は、Ｃｃ＝［Ｃｍ・（Ｖｃ＋Ｖｐ）−Ｃｐ・Ｖｐ］／Ｖｃの計算式より、第１濃縮水の前記演算シリカ濃度値Ｃｃを演算することが好ましい。
【００１４】
前記制御部は、前記第１逆浸透膜モジュールにより分離された第１透過水の流量を一定に維持すると共に、前記第１逆浸透膜モジュールにより分離された第１濃縮水の流量を増減させて、前記演算シリカ濃度値が前記許容シリカ濃度値となるように、前記回収率を調整することが好ましい。
【００１５】
前記制御部は、前記第１逆浸透膜モジュールにより分離された第１濃縮水の流量を一定に維持すると共に、前記第１逆浸透膜モジュールにより分離された第１透過水の流量を増減させて、前記演算シリカ濃度値が前記許容シリカ濃度値となるように、前記回収率を調整することが好ましい。
【００１６】
前記希釈手段は、前記第１逆浸透膜モジュールにより分離された第１濃縮水と希釈水とが混合される混合槽と、前記第１逆浸透膜モジュールにより分離された第１濃縮水の水圧により前記混合槽に導入される際に駆動される駆動部と、前記駆動部の駆動に従動して駆動される従動部であって前記混合槽へ向けて水圧を発生させて前記第１濃縮水の水圧よりも低い水圧の希釈水を前記混合槽に導入する従動部と、を有することが好ましい。
【００１７】
また、前記第１シリカ濃度検出手段及び前記第２シリカ濃度検出手段は、２以上の異なる濃度測定レンジを切替可能な単一のシリカ濃度測定手段により構成されることが好ましい。
【００１８】
また、前記第１逆浸透膜モジュールは、複数のサブモジュールを備え、前記複数のサブモジュールは、前記複数のサブモジュールそれぞれから分離された濃縮水が次のサブモジュールに供給されるように直列に接続され、前記水処理装置は、前記複数のサブモジュールのうちの最下流側以外のサブモジュールから排出される濃縮水のシリカ濃度を第３検出シリカ濃度値として検出する第３シリカ濃度検出手段と、警報を報知する報知手段と、を備え、前記制御部は、前記第３検出シリカ濃度値が所定閾値を上回る場合に、前記報知手段による報知を実行することが好ましい。
【００１９】
また、本発明は、水処理装置であって、供給水を第１透過水と第１濃縮水とに分離する第１逆浸透膜モジュールと、前記第１逆浸透膜モジュールにより分離された第１透過水を脱イオン処理して、脱イオン水と濃縮水とを得る脱イオン部と、前記第１逆浸透膜モジュールにより分離された第１濃縮水に、前記水処理装置内を流通する希釈水としての脱イオン水を混合して第２希釈濃縮水を製造する希釈手段と、前記希釈手段により製造された第２希釈濃縮水のシリカ濃度を第４検出シリカ濃度値として検出する第４シリカ濃度検出手段と、前記脱イオン部により得られた希釈水としての脱イオン水のシリカ濃度をゼロと看做して、前記第４検出シリカ濃度値から、前記第３逆浸透膜モジュールにより分離された第３濃縮水のシリカ濃度を演算シリカ濃度値として演算し、前記演算シリカ濃度値が許容シリカ濃度値となるように、前記第１逆浸透膜モジュールへ供給される供給水の流量に対する第１透過水の流量の比率である回収率を調整する制御部と、を備える水処理装置に関する。
【発明の効果】
【００２０】
本発明によれば、逆浸透膜モジュールにより分離された濃縮水のシリカ濃度値を簡易な構成で精度よく検出することができ、精度よく検出された濃縮水のシリカ濃度値に基づいて回収率を調整して、シリカ系スケールの析出を抑制することができる水処理装置を提供することができる。
【図面の簡単な説明】
【００２１】
【図１】第１実施形態に係る純水製造装置１の全体概略図である。
【図２Ａ】第１実施形態に係る純水製造装置１の全体構成図の前段部分である。
【図２Ｂ】第１実施形態に係る純水製造装置１の全体構成図の中段部分である。
【図２Ｃ】第１実施形態に係る純水製造装置１の全体構成図の後段部分である。
【図３】第１実施形態のＲＯ膜モジュール７の内部構造を示す図である。
【図４】シリカ濃度センサＳＳ１〜ＳＳ３Ｂの全体構成を示す図である
【図５】検査水Ｗ１０１のシリカ濃度が０ｍｇＳｉＯ２／Ｌ（蒸留水）と０．１ｍｇＳｉＯ２／Ｌと０．２ｍｇＳｉＯ２／Ｌの場合において、試薬添加開始からの経過時間と、検査水Ｗ１０１の吸光度と、の関係を示すグラフである。
【図６】希釈装置１８の全体概略図である。
【図７】制御部３０において流量フィードバック水量制御を実行する場合の処理手順を示すフローチャートである。
【図８】制御部３０において回収率を調整する制御を実行する場合の処理手順を示すフローチャートである。
【図９】制御部３０においてＲＯ膜モジュール７の内部において濃縮水の濃度が高い場合に警報が報知される制御を示すフローチャートである。
【図１０】第２実施形態に係る純水製造装置１Ａの全体概略図である。
【図１１Ａ】第２実施形態に係る純水製造装置１Ａの全体構成図の前段部分である。
【図１１Ｂ】第２実施形態に係る純水製造装置１Ａの全体構成図の中段部分である。
【図１１Ｃ】第２実施形態に係る純水製造装置１Ａの全体構成図の後段部分である。
【図１２】第１実施形態における第１シリカ濃度センサＳＳ１及び第２シリカ濃度センサＳＳ２を、単一の第５シリカ濃度センサＳＳ５により構成した場合の図である。
【発明を実施するための形態】
【００２２】
以下、本発明に係る水処理装置を純水製造装置に適用した場合の実施形態について説明する。
（第１実施形態）
まず、第１実施形態に係る純水製造装置１について、図面を参照しながら説明する。図１は、第１実施形態に係る純水製造装置１の全体概略図である。図２Ａは、第１実施形態に係る純水製造装置１の全体構成図の前段部分である。図２Ｂは、第１実施形態に係る純水製造装置１の全体構成図の中段部分である。図２Ｃは、第１実施形態に係る純水製造装置１の全体構成図の後段部分である。図３は、第１実施形態のＲＯ膜モジュール７の内部構造を示す図である。図４は、シリカ濃度センサＳＳ１〜ＳＳ３Ｂの全体構成を示す図である。図５は、検査水Ｗ１０１のシリカ濃度が０ｍｇＳｉＯ２／Ｌ（蒸留水）と０．１ｍｇＳｉＯ２／Ｌと０．２ｍｇＳｉＯ２／Ｌの場合において、試薬添加開始からの経過時間と、検査水Ｗ１０１の吸光度と、の関係を示すグラフである。図６は、希釈装置１８の全体概略図である。本実施形態に係る純水製造装置１は、例えば、原水（例えば、水道水）から透過水や脱イオン水を製造する純水製造装置に適用される。純水製造装置１で製造された透過水や脱イオン水は、純水として、需要箇所等に送出される。なお、本実施形態に係る純水製造装置１において、需要箇所等へ純水を供給することを「採水」ともいう。
【００２３】
図１に示すように、第１実施形態に係る純水製造装置１は、第１オプション機器ＯＰ１と、プレフィルタ４と、第２オプション機器ＯＰ２と、加圧ポンプ５と、インバータ６と、第１逆浸透膜モジュールとしてのＲＯ膜モジュール７と、脱炭酸装置１５と、第１流路切換弁Ｖ７１と、第３オプション機器ＯＰ３と、制御部３０と、入力操作部４０と、主表示部６０と、を備える。
【００２４】
第１オプション機器ＯＰ１〜第３オプション機器ＯＰ３は、純水製造装置１に着脱可能なオプション機器として、純水製造装置１に装備される機器である。第１オプション機器ＯＰ１は、軟水器２及び活性炭濾過器３を含む。第２オプション機器ＯＰ２は、硬度センサＳ１及び残留塩素センサＳ２を含む。第３オプション機器ＯＰ３は、第２比抵抗センサＲＳ２、全有機炭素センサＴＯＣ及び第３温度センサＴＥ３を含む。
【００２５】
また、図１に示すように、純水製造装置１は、供給水ラインＬ１と、透過水ラインＬ２１と、ＲＯ透過水リターンラインＬ４１と、ＲＯ濃縮水リターンラインＬ５１と、を備える。なお、本明細書における「ライン」とは、流路、径路、管路等の流体の流通が可能なラインの総称である。
【００２６】
また、純水製造装置１は、図２Ａ〜図２Ｃに示すように、図１に示す構成に加えて、第１開閉弁Ｖ１１〜第６開閉弁Ｖ１６と、真空破壊弁Ｖ４１と、減圧弁Ｖ４２と、供給水補給弁Ｖ３１と、第１排水弁Ｖ３２〜第３排水弁Ｖ３４と、第１定流量弁Ｖ５１〜第４定流量弁Ｖ５４と、第１逆止弁Ｖ６１〜第４逆止弁Ｖ６４と、第１圧力計Ｐ１〜第３圧力計Ｐ３と、第１圧力センサＰＳ１及び第２圧力センサＰＳ２と、圧力スイッチＰＳＷと、第１温度センサＴＥ１〜第３温度センサＴＥ３と、第１流量センサＦＭ１と、第１シリカ濃度センサＳＳ１と、希釈手段としての希釈装置１８が取り付けられた第２シリカ濃度センサＳＳ２と、第１電気伝導率センサＥＣ１と、第２比抵抗センサＲＳ２と、を備える。
【００２７】
図１、図２Ａ〜図２Ｃでは、電気的な接続の経路を省略するが、制御部３０は、供給水補給弁Ｖ３１、第１流路切換弁Ｖ７１、第１排水弁Ｖ３２〜第３排水弁Ｖ３４、圧力スイッチＰＳＷ、第１温度センサＴＥ１〜第３温度センサＴＥ３、第１圧力センサＰＳ１及び第２圧力センサＰＳ２、第１流量センサＦＭ１、第１電気伝導率センサＥＣ１、第２比抵抗センサＲＳ２、全有機炭素センサＴＯＣ、硬度センサＳ１、残留塩素センサＳ２、第１シリカ濃度センサＳＳ１及び第２シリカ濃度センサＳＳ２等と電気的に接続される。
【００２８】
まず、純水製造装置１における全体構成図の前段部分について説明する。
【００２９】
図１及び図２Ａに示すように、供給水ラインＬ１には、供給水Ｗ１が流通する。供給水ラインＬ１は、供給水Ｗ１を、ＲＯ膜モジュール７へ流通させるラインである。供給水ラインＬ１は、第１供給水ラインＬ１１と、第２供給水ラインＬ１２と、を有する。
【００３０】
第１供給水ラインＬ１１には、原水Ｗ１１（供給水Ｗ１）が流通する。第１供給水ラインＬ１１は、原水Ｗ１１の供給源（不図示）と軟水器２とをつなぐラインである。第１供給水ラインＬ１１の上流側の端部は、原水Ｗ１１の供給源（不図示）に接続されている。また、第１供給水ラインＬ１１の下流側の端部は、軟水器２に接続されている。
【００３１】
第１供給水ラインＬ１１には、図２Ａに示すように、上流側から順に、接続部Ｊ１、第１開閉弁Ｖ１１、及び軟水器２が設けられている。第１開閉弁Ｖ１１は、第１供給水ラインＬ１１の開閉を操作可能な手動弁である。
【００３２】
軟水器２は、原水Ｗ１１中に含まれる硬度成分をナトリウムイオンに置換して軟水Ｗ１２（供給水Ｗ１）を製造する機器である。軟水器２は、圧力タンク内に陽イオン交換樹脂床を収容したイオン交換塔を有する。
【００３３】
第２供給水ラインＬ１２には、軟水Ｗ１２（供給水Ｗ１）が流通する。第２供給水ラインＬ１２は、軟水Ｗ１２を、ＲＯ膜モジュール７へ流通させるラインである。第２供給水ラインＬ１２は、軟水器２とＲＯ膜モジュール７とをつなぐラインである。図２Ａに示すように、第２供給水ラインＬ１２の上流側の端部は、軟水器２に接続されている。また、図２Ｂに示すように、第２供給水ラインＬ１２の下流側の端部は、ＲＯ膜モジュール７の一次側入口ポート（供給水Ｗ１の入口）に接続されている。
【００３４】
第２供給水ラインＬ１２には、上流側から順に、図２Ａに示すように、第２開閉弁Ｖ１２、接続部Ｊ２、第３開閉弁Ｖ１３、活性炭濾過器３、第４開閉弁Ｖ１４、接続部Ｊ３、プレフィルタ４、接続部Ｊ４、及び接続部Ｊ５が設けられている。また、接続部Ｊ５以降には、図２Ｂに示すように、第５開閉弁Ｖ１５、接続部Ｊ６、減圧弁Ｖ４２、供給水補給弁Ｖ３１、接続部Ｊ５１、接続部Ｊ７、接続部Ｊ８、加圧ポンプ５、接続部Ｊ９、及びＲＯ膜モジュール７が設けられている。第２開閉弁Ｖ１２〜第５開閉弁Ｖ１５は、第２供給水ラインＬ１２の開閉を操作可能な手動弁である。供給水補給弁Ｖ３１は、第２供給水ラインＬ１２の開閉を制御可能な自動弁である。供給水補給弁Ｖ３１は、制御部３０と電気的に接続されている。供給水補給弁Ｖ３１の開閉は、制御部３０から送信される流路開閉信号により制御される。
【００３５】
活性炭濾過器３は、軟水Ｗ１２（供給水Ｗ１）に含まれる塩素成分（主として遊離残留塩素）を除去する機器である。活性炭濾過器３は、圧力タンク内に活性炭からなる濾材床を収容した濾過塔を有する。活性炭濾過器３は、軟水Ｗ１２に含まれる塩素成分を分解除去する他、有機成分を吸着除去したり、懸濁物質を捕捉したりして軟水Ｗ１２（供給水Ｗ１）を浄化する。
【００３６】
プレフィルタ４は、活性炭濾過器３により浄化された軟水Ｗ１２（供給水Ｗ１）に含まれる微粒子を除去するフィルタである。プレフィルタ４は、ハウジング内にフィルタエレメントが収容されて構成される。フィルタエレメントとしては、例えば、濾過精度が１〜５０μｍの不織布フィルタエレメント又は糸巻きフィルタエレメント等が用いられる。
【００３７】
硬度センサＳ１は、供給水ラインＬ１を流通する供給水Ｗ１の全硬度（すなわち、硬度リーク量）を測定する機器である。残留塩素センサＳ２は、供給水ラインＬ１を流通する供給水Ｗ１の遊離残留塩素濃度（すなわち、塩素リーク量）を測定する機器である。硬度センサＳ１及び残留塩素センサＳ２は、図２Ａに示すように、測定ラインＬ１１０を介して、接続部Ｊ５において供給水ラインＬ１に接続されている。接続部Ｊ５は、供給水ラインＬ１におけるプレフィルタ４と第５開閉弁Ｖ１５との間に配置されている。硬度センサＳ１及び残留塩素センサＳ２は、制御部３０と電気的に接続されている。硬度センサＳ１で測定された硬度リーク量、及び残留塩素センサＳ２で測定された塩素リーク量は、それぞれ制御部３０へ検出信号として送信される。なお、接続部Ｊ５には、後述する軟水供給ラインＬ２４の上流側の端部が接続されている。
【００３８】
次に、純水製造装置１における全体構成図の中段部分について説明する。
図２Ｂに示すように、接続部Ｊ６には、真空破壊弁Ｖ４１が接続されている。真空破壊弁Ｖ４１は、常閉式の圧力作動弁であり、供給水ラインＬ１の管内圧力が大気圧力よりも低くなった場合に弁が開いて大気を吸入する。真空破壊弁Ｖ４１を設けることにより、原水Ｗ１１（供給水Ｗ１）が断水となって供給水ラインＬ１が負圧になったとしても、ＲＯ膜モジュール７の膜の破損等の不具合を防止することができる。
【００３９】
減圧弁Ｖ４２は、軟水器２、活性炭濾過器３及びプレフィルタ４を通過した軟水Ｗ１２の圧力を、ＲＯ膜モジュール７から流出する濃縮水Ｗ３の圧力よりも低い圧力に調整する機器である。減圧弁Ｖ４２は、軟水Ｗ１２の圧力よりも濃縮水Ｗ３の圧力が大きく（軟水Ｗ１２の圧力＜濃縮水Ｗ３の圧力）なるように、軟水Ｗ１２の圧力を調整する。これにより、濃縮水Ｗ３の一部が軟水Ｗ１２に循環され、軟水Ｗ１２に濃縮水Ｗ３が混合された供給水は、ＲＯ膜モジュール７に供給される。すなわち、ＲＯ膜モジュール７においては、加圧ポンプ５により供給水を循環させながら、透過水を生産するクロスフロー方式の分離操作が行われる。
【００４０】
加圧ポンプ５は、供給水ラインＬ１を流通する供給水Ｗ１を吸入し、ＲＯ膜モジュール７へ向けて圧送（吐出）する装置である。加圧ポンプ５には、インバータ６から周波数が変換された駆動電力が供給される。加圧ポンプ５は、供給された駆動電力の周波数（以下、「駆動周波数」ともいう）に応じた回転速度で駆動される。
【００４１】
インバータ６は、加圧ポンプ５に、周波数が変換された駆動電力を供給する電気回路（又はその回路を持つ装置）である。インバータ６は、制御部３０と電気的に接続されている。インバータ６には、制御部３０から周波数指定信号が入力される。インバータ６は、制御部３０により入力された周波数指定信号（電流値信号又は電圧値信号）に対応する駆動周波数の駆動電力を加圧ポンプ５に出力する。
【００４２】
ＲＯ膜モジュール７は、加圧ポンプ５により圧送された供給水Ｗ１を、溶存塩類が除去された透過水Ｗ２（第１透過水）と、溶存塩類が濃縮された濃縮水Ｗ３（第１濃縮水）と、に分離する。ＲＯ膜モジュール７は、単一又は複数のスパイラル型ＲＯ膜エレメントを圧力容器（ベッセル）に収容して構成される。当該ＲＯ膜エレメントに使用されるＲＯ膜としては、架橋芳香族ポリアミド系複合膜等が例示される。架橋芳香族ポリアミド系複合膜からなるＲＯ膜エレメントとしては、東レ社製：型式名「ＴＭＧ２０−４００」、ウンジン・ケミカル社製：型式名「ＲＥ８０４０−ＢＬＦ」、日東電工社製：型式名「ＥＳＰＡ１」等が市販されており、これらのエレメントを好適に用いることができる。
【００４３】
ここで、ＲＯ膜モジュール７の内部構成について説明する。本実施形態においては、ＲＯ膜モジュール７は、分離処理水（透過水）の製造水量を高めるため、図３に示すように、３つのサブモジュール７１，７２，７３を有している。３つのサブモジュール７１，７２，７３は、３つのサブモジュール７１，７２，７３それぞれから分離されたモジュール濃縮水Ｗ１５１，Ｗ１５２，Ｗ１５３が次のサブモジュールに供給されるように直列に接続される。３つのサブモジュール７１，７２，７３は、上流側から下流側に向かって順に、第１サブモジュール７１と、第２サブモジュール７２と、第３サブモジュール７３とが接続されて構成されている。３つのサブモジュール７１，７２，７３それぞれは、ＲＯ膜エレメントを圧力容器（ベッセル）に収容している。
【００４４】
ＲＯ膜モジュール７は、図３に示すように、その内部に、３つのサブモジュール７１，７２，７３を接続する複数のラインを有する。ＲＯ膜モジュール７は、モジュール導入ラインＬ８１と、第１モジュール透過水ラインＬ８２１と、第２モジュール透過水ラインＬ８２２と、第３モジュール透過水ラインＬ８２３と、モジュール透過水導出ラインＬ８３と、第１モジュール濃縮水ラインＬ８４１と、第２モジュール濃縮水ラインＬ８４２と、モジュール濃縮水導出ラインＬ８５と、を備える。また、ＲＯ膜モジュール７は、その内部に、第３シリカ濃度検出手段としての第３Ａシリカ濃度センサＳＳ３Ａと、第３シリカ濃度検出手段としての第３Ｂシリカ濃度センサＳＳ３Ｂと、を備える。
【００４５】
モジュール導入ラインＬ８１は、ＲＯ膜モジュール７の一次側入口ポートに接続された第２供給水ラインＬ１２の下流側の端部と第１サブモジュール７１の一次側入口ポートとをつなぐラインである。第１モジュール透過水ラインＬ８２１は、第１サブモジュール７１の二次側出口ポートと接続部Ｊ８１とをつなぐラインである。第２モジュール透過水ラインＬ８２２は、第２サブモジュール７２の二次側出口ポートと接続部Ｊ８１とをつなぐラインである。第３モジュール透過水ラインＬ８２３は、第３サブモジュール７３の二次側出口ポートと接続部Ｊ８２とをつなぐラインである。モジュール透過水導出ラインＬ８３は、接続部Ｊ８１と、接続部Ｊ８２と、ＲＯ膜モジュール７の一次側出口ポートに接続された透過水ラインＬ２１の上流側の端部とをつなぐラインである。
【００４６】
第１モジュール濃縮水ラインＬ８４１は、第１サブモジュール７１の一次側出口ポートと第２サブモジュール７２の一次側入口ポートとをつなぐラインである。第２モジュール濃縮水ラインＬ８４２は、第２サブモジュール７２の一次側出口ポートと第３サブモジュール７３の一次側入口ポートとをつなぐラインである。モジュール濃縮水導出ラインＬ８５は、第３サブモジュール７３の一次側出口ポートとＲＯ膜モジュール７の一次側出口ポートに接続されたＲＯ濃縮水リターンラインＬ５１の下流側の端部とをつなぐラインである。
【００４７】
第１サブモジュール７１には、ＲＯ膜モジュール７に供給された供給水Ｗ１が、モジュール導入ラインＬ８１を通してサブモジュール供給水Ｗ１３として供給される。第１サブモジュール７１は、サブモジュール供給水Ｗ１３を、第１モジュール透過水Ｗ１４１と、第１モジュール濃縮水Ｗ１５１とに分離する。
【００４８】
第２サブモジュール７２には、第１サブモジュール７１により分離された第１モジュール濃縮水Ｗ１５１が、第１モジュール濃縮水ラインＬ８４１を通して供給される。第２サブモジュール７２は、第１サブモジュール７１により分離された第１モジュール濃縮水Ｗ１５１を、第２モジュール透過水Ｗ１４２と、第２モジュール濃縮水Ｗ１５２とに分離する。
【００４９】
第３サブモジュール７３には、第２サブモジュール７２により分離された第２モジュール濃縮水Ｗ１５２が、第２モジュール濃縮水ラインＬ８４２を通して供給される。第３サブモジュール７３は、第２モジュール濃縮水Ｗ１５２を、第３モジュール透過水Ｗ１４３と、第３モジュール濃縮水Ｗ１５３とに分離する。
第３サブモジュール７３により分離された第３モジュール濃縮水Ｗ１５３は、モジュール濃縮水導出ラインＬ８５を通して、ＲＯ膜モジュール７の一次側出口ポート（濃縮水Ｗ３の出口）から濃縮水Ｗ３としてＲＯ膜モジュール７の外部へ排出される。
【００５０】
また、第１サブモジュール７１により分離された第１モジュール透過水Ｗ１４１、第２サブモジュール７２により分離された第２モジュール透過水Ｗ１４２、及び第３サブモジュール７３により分離された第３モジュール透過水Ｗ１４３それぞれは、第１モジュール透過水ラインＬ８２１、第２モジュール透過水ラインＬ８２２及び第３モジュール透過水ラインＬ８２３を介して、モジュール透過水導出ラインＬ８３を通して、ＲＯ膜モジュール７の二次側出口ポート（透過水Ｗ２の出口）から透過水Ｗ２としてＲＯ膜モジュール７の外部へ排出される。
【００５１】
以上のように構成されるＲＯ膜モジュール７は、３つのサブモジュール７１，７２，７３それぞれにより分離した第１モジュール透過水Ｗ１４１〜第３モジュール透過水Ｗ１４３を、透過水Ｗ２として透過水ラインＬ２１に排出すると共に、直列に接続された第１サブモジュール７１、第２サブモジュール７２及び第３サブモジュール７３により順次分離した最下流の第３モジュール濃縮水Ｗ１５３を、濃縮水Ｗ３としてＲＯ濃縮水リターンラインＬ５１に排出する。
【００５２】
再び、純水製造装置１の全体構成図の中段部分における他の構成について説明する。
図２Ｂに示すように、ＲＯ濃縮水リターンラインＬ５１は、ＲＯ膜モジュール７で分離された濃縮水Ｗ３の一部Ｗ３１を供給水ラインＬ１へ返送するラインである。ＲＯ濃縮水リターンラインＬ５１の上流側の端部は、ＲＯ膜モジュール７の一次側出口ポート（濃縮水Ｗ３の出口）に接続されている。ＲＯ濃縮水リターンラインＬ５１の下流側の端部は、接続部Ｊ５１において供給水ラインＬ１に接続されている。ＲＯ濃縮水リターンラインＬ５１には、第１逆止弁Ｖ６１及び第１定流量弁Ｖ５１が設けられている。
【００５３】
ＲＯ濃縮水排出ラインＬ６１は、ＲＯ膜モジュール７で分離された濃縮水Ｗ３の残部Ｗ３２を、ＲＯ濃縮水リターンラインＬ５１の途中から装置の外へ排出するラインである。ＲＯ濃縮水排出ラインＬ６１の上流側の端部は、接続部Ｊ５３に接続されている。接続部Ｊ５３は、ＲＯ濃縮水リターンラインＬ５１におけるＲＯ膜モジュール７と接続部Ｊ５２との間に配置されている。第１濃縮水排水ラインＬ６１１、第２濃縮水排水ラインＬ６１２及び第３濃縮水排水ラインＬ６１３の上流側の端部は、接続部Ｊ５５及びＪ５６において、ＲＯ濃縮水排出ラインＬ６１に接続されている。
【００５４】
第１濃縮水排水ラインＬ６１１〜第３濃縮水排水ラインＬ６１３には、それぞれ、第１排水弁Ｖ３２〜第３排水弁Ｖ３４、及び第２定流量弁Ｖ５２〜第４定流量弁Ｖ５４が設けられている。第２定流量弁Ｖ５２〜第４定流量弁Ｖ５４は、それぞれ異なる流量値に設定されている。第１排水弁Ｖ３２〜第３排水弁Ｖ３４により、第１濃縮水排水ラインＬ６１１〜第３濃縮水排水ラインＬ６１３を個別に開閉することができる。第１排水弁Ｖ３２〜第３排水弁Ｖ３４の開放数を適宜に選択することにより、装置外へ排出する濃縮水Ｗ３の排水流量を調節することができる。この調節により、透過水Ｗ２の回収率を予め設定された値に保つことができる。なお、透過水Ｗ２の回収率とは、ＲＯ膜モジュール７に供給される軟水Ｗ１２（濃縮水Ｗ３の一部Ｗ３１が混合される前の供給水Ｗ１）の流量に対する透過水Ｗ２の割合（％）をいう。
【００５５】
第１排水弁Ｖ３２〜第３排水弁Ｖ３４は、それぞれ制御部３０と電気的に接続されている。第１排水弁Ｖ３２〜第３排水弁Ｖ３４の開閉は、制御部３０から送信される駆動信号により制御される。
【００５６】
第１濃縮水排水ラインＬ６１１、第２濃縮水排水ラインＬ６１２及び第３濃縮水排水ラインＬ６１３の下流側の端部は、接続部Ｊ５７及びＪ５８において、合流排水ラインＬ６２の上流側の端部に接続されている。合流排水ラインＬ６２の下流側の端部は、例えば、排水ピット（不図示）に接続又は開口している。合流排水ラインＬ６２の途中には、第２逆止弁Ｖ６２が設けられている。
【００５７】
透過水ラインＬ２１は、ＲＯ膜モジュール７で分離された透過水Ｗ２を脱炭酸装置１５に流通させるラインである。透過水ラインＬ２１は、図２Ｂ及び図２Ｃに示すように、前段側透過水ラインＬ２１１と、中段側透過水ラインＬ２１２と、を有する。
【００５８】
前段側透過水ラインＬ２１１の上流側の端部は、図２Ｂに示すように、ＲＯ膜モジュール７の二次側ポート（透過水Ｗ２の出口）に接続されている。前段側透過水ラインＬ２１１の下流側の端部は、図２Ｃに示すように、第１流路切換弁Ｖ７１を介して、中段側透過水ラインＬ２１２及びＲＯ透過水リターンラインＬ４１に接続されている。
【００５９】
前段側透過水ラインＬ２１１には、上流側から順に、図２Ｂに示すように、第３逆止弁Ｖ６３、接続部Ｊ１０、接続部Ｊ１１、接続部Ｊ６３、及び第６開閉弁Ｖ１６が設けられている。また、第６開閉弁Ｖ１６以降には、図２Ｃに示すように、脱炭酸装置１５、接続部Ｊ３１、接続部Ｊ３２、及び第１流路切換弁Ｖ７１が設けられている。第６開閉弁Ｖ１６は、透過水ラインＬ２１の開閉を操作可能な手動弁である。
【００６０】
次に、純水製造装置１における全体構成図の後段部分について説明する。
図２Ｃにおいて、脱炭酸装置１５は、透過水Ｗ２に含まれる遊離炭酸（溶存炭酸ガス）を、気体分離膜モジュールにより脱気処理して、精製水としての脱炭酸水を製造する設備である。ＲＯ膜モジュール７の下流側に脱炭酸装置１５を設けることにより、ＲＯ膜を透過しやすい遊離炭酸を透過水Ｗ２から除去することができる。従って、より純度の高い透過水Ｗ２を得ることができる。なお、本実施形態では、脱炭酸装置１５で製造された脱炭酸水を、便宜上、透過水Ｗ２ともいう。
【００６１】
本実施形態の脱炭酸装置１５では、中空糸膜からなる外部灌流式の気体分離膜モジュールを用い、中空糸膜の内側を真空ポンプ（後述）で吸引しながら、空気等の掃引ガスを導入し、膜壁を介して遊離炭酸を掃引ガス中に移行させつつ排気する。このような用途に適した気体分離膜モジュールとしては、例えば、セルガード社製：製品名「Ｌｉｑｕｉ−Ｃｅｌ  Ｇ−５２１Ｒ」等が挙げられる。気体分離膜モジュールに接続される真空ポンプは、制御部３０と電気的に接続されている。
【００６２】
軟水供給ラインＬ２４は、第２供給水ラインＬ１２（図２Ａ参照）を流通する軟水Ｗ１２（供給水Ｗ１）の一部を、脱炭酸装置１５（封水タンク）へ供給するラインである。軟水供給ラインＬ２４の上流側の端部は、第２供給水ラインＬ１２の接続部Ｊ５（図２Ａ参照）に接続されている。軟水供給ラインＬ２４の下流側の端部は、封水タンクの気相部（上部）に接続されている。第２供給水ラインＬ１２を流通する軟水Ｗ１２（供給水Ｗ１）の一部が軟水供給ラインＬ２４を介して脱炭酸装置１５に供給されることにより、第２供給水ラインＬ１２（図２Ａ参照）を流通する軟水Ｗ１２（供給水Ｗ１）の一部は、真空ポンプの封水として利用され、その後、封水排出ラインＬ７１（後述）を介して装置の外に排出される。
【００６３】
第１流路切換弁Ｖ７１は、図２Ｃに示すように、ＲＯ膜モジュール７で分離された透過水Ｗ２を、中段側透過水ラインＬ２１２を介して流通させる流路（採水側流路）、又は、ＲＯ透過水リターンラインＬ４１を介してＲＯ膜モジュール７の上流側の供給水ラインＬ１へ向けて流通させる流路（循環側流路）に切り換え可能な自動弁である。第１流路切換弁Ｖ７１は、例えば、電動式又は電磁式の三方弁により構成される。第１流路切換弁Ｖ７１は、制御部３０と電気的に接続されている。第１流路切換弁Ｖ７１における流路の切り換えは、制御部３０から送信される流路切換信号により制御される。
【００６４】
ＲＯ透過水リターンラインＬ４１は、ＲＯ膜モジュール７で分離された透過水Ｗ２を、ＲＯ膜モジュール７よりも上流側の供給水ラインＬ１へ返送するラインである。ＲＯ透過水リターンラインＬ４１の上流側の端部は、第１流路切換弁Ｖ７１に接続されている。ＲＯ透過水リターンラインＬ４１の下流側の端部は、図２Ｂに示すように、接続部Ｊ５２において、ＲＯ濃縮水リターンラインＬ５１に接続されている。接続部Ｊ５２は、ＲＯ濃縮水リターンラインＬ５１における接続部Ｊ５３と接続部Ｊ５１との間に配置されている。ＲＯ透過水リターンラインＬ４１における接続部Ｊ５２から接続部Ｊ５１までの部分は、ＲＯ濃縮水リターンラインＬ５１における接続部Ｊ５２から接続部Ｊ５１までの部分と共通する。ＲＯ透過水リターンラインＬ４１の上流側には、図２Ｃに示すように、第４逆止弁Ｖ６４が設けられている。
【００６５】
中段側透過水ラインＬ２１２は、ＲＯ膜モジュール７で分離された透過水Ｗ２を、純水として需要箇所に向けて送出するラインである。中段側透過水ラインＬ２１２の上流側の端部は、第１流路切換弁Ｖ７１に接続されている。中段側透過水ラインＬ２１２の下流側の端部は、需要箇所の装置等（不図示）に接続されている。
【００６６】
封水排出ラインＬ７１は、脱炭酸装置１５から排出される封水排水Ｗ８を、装置の外に排出するラインである。封水排出ラインＬ７１の上流側の端部は、脱炭酸装置１５に接続されている。封水排出ラインＬ７１の下流側は、例えば、排水ピット（不図示）に接続又は開口している。
【００６７】
第１圧力計Ｐ１〜第４圧力計Ｐ４は、接続された各ラインを流通する水の圧力を計測する機器である。図２Ａに示すように、第１圧力計Ｐ１〜第４圧力計Ｐ４は、接続部Ｊ１〜Ｊ４において、それぞれ、供給水ラインＬ１に接続されている。
【００６８】
第１圧力センサＰＳ１及び第２圧力センサＰＳ２は、接続された各ラインを流通する水の圧力を計測する機器である。図２Ｂに示すように、第１圧力センサＰＳ１は、接続部Ｊ９において、供給水ラインＬ１に接続されている。接続部Ｊ９は、供給水ラインＬ１における加圧ポンプ５とＲＯ膜モジュール７との間に配置されている。第２圧力センサＰＳ２は、接続部Ｊ１１において、透過水ラインＬ２１に接続されている。接続部Ｊ１１は、透過水ラインＬ２１におけるＲＯ膜モジュール７と脱炭酸装置１５との間に配置されている。
【００６９】
第１圧力センサＰＳ１及び第２圧力センサＰＳ２は、制御部３０と電気的に接続されている。第１圧力センサＰＳ１及び第２圧力センサＰＳ２で測定された供給水Ｗ１又は透過水Ｗ２の圧力は、制御部３０へ検出信号として送信される。
【００７０】
圧力スイッチＰＳＷは、供給水ラインＬ１を流通する供給水Ｗ１の圧力が第１設定圧力値以下又は第２設定圧力値以上であることを検出する機器である。図２Ｂに示すように、圧力スイッチＰＳＷは、接続部Ｊ７において、供給水ラインＬ１に接続されている。接続部Ｊ７は、供給水ラインＬ１における接続部Ｊ５１と加圧ポンプ５との間に配置されている。圧力スイッチＰＳＷで検出された供給水Ｗ１の圧力の検出信号は、制御部３０へ送信される。
【００７１】
第１温度センサＴＥ１〜第３温度センサＴＥ３は、接続された各ラインを流通する水の温度を測定する機器である。第１温度センサＴＥ１は、接続部Ｊ８において、供給水ラインＬ１に接続されている。接続部Ｊ８は、供給水ラインＬ１における接続部Ｊ５１と加圧ポンプ５との間に配置されている。水温検出手段としての第２温度センサＴＥ２は、接続部Ｊ３１において、透過水ラインＬ２１に接続されている。接続部Ｊ３１は、透過水ラインＬ２１における脱炭酸装置１５と第１流路切換弁Ｖ７１との間に配置されている。第３温度センサＴＥ３は、接続部Ｊ４３において、中段側透過水ラインＬ２１２に接続されている。接続部Ｊ４３は、中段側透過水ラインＬ２１２に配置されている。
【００７２】
第１温度センサＴＥ１〜第３温度センサＴＥ３は、制御部３０と電気的に接続されている。第１温度センサＴＥ１〜第３温度センサＴＥ３で測定された供給水Ｗ１、透過水Ｗ２（後述する他の実施形態では脱塩水Ｗ６）の温度（検出温度値）は、制御部３０へ検出信号として送信される。
【００７３】
第１流量センサＦＭ１は、接続された透過水ラインＬ２１を流通する透過水Ｗ２の流量を測定する機器である。第１流量センサＦＭ１は、接続部Ｊ１０において、透過水ラインＬ２１に接続されている。接続部Ｊ１０は、透過水ラインＬ２１におけるＲＯ膜モジュール７と脱炭酸装置１５との間に配置されている。
【００７４】
第１流量センサＦＭ１は、制御部３０と電気的に接続されている。第１流量センサＦＭ１で測定された透過水Ｗ２の流量（検出流量値）は、制御部３０へ検出信号として送信される。
【００７５】
第１電気伝導率センサＥＣ１は、透過水ラインＬ２１を流通する透過水Ｗ２の電気伝導率（電気的特性値）を測定する機器である。第１電気伝導率センサＥＣ１は、接続部Ｊ３２において、透過水ラインＬ２１に接続されている。接続部Ｊ３２は、透過水ラインＬ２１における脱炭酸装置１５と第１流路切換弁Ｖ７１との間に配置されている。
【００７６】
第２比抵抗センサＲＳ２は、中段側透過水ラインＬ２１２を流通する透過水Ｗ２の比抵抗（電気的特性値）を測定する機器である。第２比抵抗センサＲＳ２は、接続部Ｊ４１において、中段側透過水ラインＬ２１２に接続されている。接続部Ｊ４１は、中段側透過水ラインＬ２１２において、第１流路切換弁Ｖ７１よりも下流側に配置されている。なお、第２比抵抗センサＲＳ２は、測定された比抵抗値の温度補償のため、温度センサを内蔵している。そのため、第２比抵抗センサＲＳ２は、透過水Ｗ２の水温を測定することができる。
【００７７】
第１電気伝導率センサＥＣ１、及び第２比抵抗センサＲＳ２は、制御部３０と電気的に接続されている。第１電気伝導率センサＥＣ１で測定された透過水Ｗ２の電気伝導率、及び第２比抵抗センサＲＳ２で測定された透過水Ｗ２の比抵抗（及び温度）は、それぞれ、制御部３０へ検出信号として送信される。
【００７８】
全有機炭素センサＴＯＣは、中段側透過水ラインＬ２１２を流通する透過水Ｗ２の有機体炭素量を検出する機器である。有機体炭素とは、水中に存在する有機物中の炭素である。全有機炭素センサＴＯＣは、接続部Ｊ４２において、中段側透過水ラインＬ２１２に接続されている。接続部Ｊ４２は、中段側透過水ラインＬ２１２において、第１流路切換弁Ｖ７１よりも下流側に配置されている。
【００７９】
全有機炭素センサＴＯＣは、制御部３０と電気的に接続されている。全有機炭素センサＴＯＣで検出された透過水Ｗ２の全有機炭素量は、制御部３０へ検出信号として送信される。
【００８０】
第１シリカ濃度センサＳＳ１は、透過水ラインＬ２１を流通する透過水Ｗ２のシリカ濃度を、第１検出シリカ濃度値Ｃｐとして検出する機器である。第１シリカ濃度センサＳＳ１は、図２Ｂに示すように、透過水導入ラインＬ１１２を介して、接続部Ｊ６３において、透過水ラインＬ２１に接続されている。接続部Ｊ６３は、透過水ラインＬ２１におけるＲＯ膜モジュール７と脱炭酸装置１５との間に配置されている。
第２シリカ濃度センサＳＳ２は、後述する希釈装置１８に取り付けられている。第２シリカ濃度センサＳＳ２は、希釈装置１８により希釈（製造）された希釈濃縮水（第１希釈濃縮水）Ｗ３０のシリカ濃度を、第２検出シリカ濃度値Ｃｍとして検出する機器である。希釈装置１８の構成については後述する。
【００８１】
第３Ａシリカ濃度センサＳＳ３Ａは、図３に示すように、第１モジュール濃縮水ラインＬ８４１を流通する第１モジュール濃縮水Ｗ１５１のシリカ濃度を第３Ａ検出シリカ濃度値Ｃｑとして検出する機器である。第３Ａシリカ濃度センサＳＳ３Ａは、ＲＯ膜モジュール７の内部における接続部Ｊ８３において、第１モジュール濃縮水ラインＬ８４１に接続されている。接続部Ｊ８３は、第１モジュール濃縮水ラインＬ８４１の途中に配置されている。
第３Ｂシリカ濃度センサＳＳ３Ｂは、第２モジュール濃縮水ラインＬ８４２を流通する第２モジュール濃縮水Ｗ１５２のシリカ濃度を第３Ｂ検出シリカ濃度値Ｃｒとして検出する機器である。第３Ｂシリカ濃度センサＳＳ３Ｂは、ＲＯ膜モジュール７の内部における接続部Ｊ８４において、第２モジュール濃縮水ラインＬ８４２に接続されている。接続部Ｊ８４は、第２モジュール濃縮水ラインＬ８４２の途中に配置されている。
【００８２】
第１シリカ濃度センサＳＳ１〜第３Ｂシリカ濃度センサＳＳ３Ｂは、制御部３０と電気的に接続されている。第１シリカ濃度センサＳＳ１〜第３Ｂシリカ濃度センサＳＳ３Ｂで検出された透過水Ｗ２、希釈濃縮水Ｗ３０、第１モジュール濃縮水Ｗ１５１、第２モジュール濃縮水Ｗ１５２の検出シリカ濃度値は、制御部３０へ検出信号として送信される。
【００８３】
ここで、第１シリカ濃度センサＳＳ１〜第３Ｂシリカ濃度センサＳＳ３Ｂの構造について説明する。第１シリカ濃度センサＳＳ１〜第３Ｂシリカ濃度センサＳＳ３Ｂは、モリブデンイエロー法（モリブデン黄吸光光度法）により検査水Ｗ１０１のシリカ濃度を測定する装置である。ここでは、説明の便宜上、シリカ濃度センサＳＳ１〜ＳＳ３Ｂにより測定する水（透過水Ｗ２、希釈濃縮水Ｗ３０、第１モジュール濃縮水Ｗ１５１及び第２モジュール濃縮水Ｗ１５２等）を検査水Ｗ１０１として説明する。
【００８４】
第１シリカ濃度センサＳＳ１〜第３Ｂシリカ濃度センサＳＳ３Ｂは、測定波長の切り替えにより、低濃度のシリカ濃度と、高濃度シリカ濃度とを測定することができる。図４に示すように、シリカ濃度センサＳＳ１〜ＳＳ３Ｂは、測定セル１２０と、試薬注入部１３０と、吸光度測定部の一部を構成する光学検出部１４０と、攪拌部１５０と、センサ表示部１６０と、センサ制御部１１０と、検査水導入ラインＬ１０１と、検査水排出ラインＬ１０２と、を備える。
【００８５】
測定セル１２０は、シリカ濃度を測定する検査水Ｗ１０１を収容する容器である。測定セル１２０は、不透明の樹脂材料により形成されている。測定セル１２０は、その側壁に一対の光透過窓１２１，１２２が形成されている。光透過窓１２１，１２２には、透明な板材１２１ａ，１２２ａが嵌め込まれている。
【００８６】
検査水導入ラインＬ１０１は、測定セル１２０への検査水Ｗ１０１の導入を行うラインである。検査水導入ラインＬ１０１は、図４に示すように、測定セル１２０の光透過窓１２１，１２２よりも下方の側壁に接続されている。検査水導入ラインＬ１０１は、測定セル１２０へ検査水Ｗ１０１を導入する流路である。検査水導入ラインＬ１０１には、電磁弁１２３が設けられている。電磁弁１２３は、検査水Ｗ１０１を採取する際に用いられる弁である。電磁弁１２３の開閉は、センサ制御部１１０から出力される駆動信号により制御される。
【００８７】
検査水排出ラインＬ１０２は、測定セル１２０からの検査水Ｗ１０１（試薬Ｗ１０２を含む）の排出を行うラインである。検査水排出ラインＬ１０２は、図４に示すように、測定セル１２０の光透過窓１２１，１２２よりも上方の側壁に接続されている。検査水排出ラインＬ１０２は、測定セル１２０から検査水Ｗ１０１を排出する流路である。
【００８８】
試薬注入部１３０は、測定セル１２０の内部へ試薬Ｗ１０２を注入する設備である。試薬注入部１３０は、試薬Ｗ１０２を内部に保持しており、所望の量の試薬Ｗ１０２を測定セル１２０の内部に吐出して供給する。試薬Ｗ１０２には、検査水Ｗ１０１に含まれるシリカと反応して、発色する呈色物質が配合されている。本実施形態では、モリブデンイエロー法によりシリカ濃度を測定しており、試薬としては、七モリブデン酸六アンモニウムおよび無機酸を含む水溶液を用いる。本実施形態に好適な一液型の試薬水溶液の組成は、本願の出願人による特許第５１６９８０９号公報に詳細に開示されているため、当該特許文献を引用して詳細な説明を省略する。
【００８９】
試薬注入部１３０は、試薬カートリッジ１３１と、ローラポンプ機構１３２と、を備える。試薬カートリッジ１３１は、試薬Ｗ１０２（上述した一液型の試薬水溶液）が充填された試薬パック（不図示）と、試薬パックに一端側が接続され且つ他端にノズルを有する弾性チューブとからなる注入体（不図示）とが収納された容器である。
【００９０】
ローラポンプ機構１３２は、図４に示すように、測定セル１２０の上方に設けられている。ローラポンプ機構１３２の上部には、カートリッジ差込口１３３が設けられている。試薬カートリッジ１３１は、カートリッジ差込口１３３に着脱自在に装着される。
【００９１】
ローラポンプ機構１３２は、ローラポンプ１３４を備える。ローラポンプ１３４を駆動して、試薬カートリッジ１３１に収納された注入体の弾性チューブをしごくことにより、試薬パック内の試薬Ｗ１０２をノズルから測定セル１２０に向けて注入することができる。ローラポンプ１３４の駆動は、センサ制御部１１０から出力される駆動信号により制御される。
【００９２】
光学検出部１４０は、試薬Ｗ１０２と共に攪拌された検査水Ｗ１０１の吸光度を測定する設備である。光学検出部１４０は、図４に示すように、第１発光素子１４１と、第２発光素子１４２と、発光基板１４３と、第１受光素子１４４と、第２受光素子１４５と、受光基板１４６と、を備える。
【００９３】
第１発光素子１４１及び第２発光素子１４２は、発光基板１４３に実装されている。第１発光素子１４１及び第２発光素子１４２は、測定セル１２０の光透過窓１２１に向けて光を照射する素子である。第１発光素子１４１及び第２発光素子１４２は、それぞれ発光波長の異なるＬＥＤ（発光ダイオード）により構成される。本実施形態においては、第１発光素子１４１は、低濃度のシリカ濃度を測定するために、３７５ｎｍの波長（低濃度測定波長）の光を発光可能な発光素子である。第２発光素子１４２は、高濃度のシリカ濃度を測定するために、４５０ｎｍの波長（高濃度測定波長）の光を発光可能な発光素子である。
第１発光素子１４１及び第２発光素子１４２の点灯／消灯は、センサ制御部１１０から出力される駆動信号により制御される。
【００９４】
第１受光素子１４４及び第２受光素子１４５は、受光基板１４６に実装されている。第１受光素子１４４及び第２受光素子１４５は、測定セル１２０の光透過窓１２２を通過した透過光を受光する素子である。第１受光素子１４４及び第２受光素子１４５は、フォトトランジスタにより構成される。第１受光素子１４４及び第２受光素子１４５は、受光した透過光量に対応した検出値信号をセンサ制御部１１０に出力する。
【００９５】
攪拌部１５０は、測定セル１２０の内部に収容された検査水Ｗ１０１及び試薬Ｗ１０２を攪拌する設備である。図４に示すように、攪拌部１５０は、測定セル１２０の底部に設けられている。攪拌部１５０は、攪拌子１５１と、ステータコイル１５２と、を備える。攪拌子１５１は、測定セル１２０の底部に、回転可能に配置されている。ステータコイル１５２は、測定セル１２０の周囲を囲むようにリング状に形成された電磁誘導コイルである。ステータコイル１５２に駆動電流を供給すると、電磁誘導の作用により、測定セル１２０の底部に配置された攪拌子１５１が非接触で回転する。ステータコイル１５２の動作は、センサ制御部１１０から供給される駆動電流により制御される。
【００９６】
センサ表示部１６０は、測定した検査水Ｗ１０１のシリカ濃度の測定値やシリカ濃度センサＳＳ１〜ＳＳ３Ｂの動作状況等を表示する装置である。センサ表示部１６０は、液晶表示パネルにより構成される。
【００９７】
センサ制御部１１０は、シリカ濃度センサＳＳ１〜ＳＳ３Ｂの動作を制御する装置である。センサ制御部１１０は、第１発光素子１４１、第２発光素子１４２を制御する。センサ制御部１１０は、第１受光素子１４４及び第２受光素子１４５からの出力を受信する。センサ制御部１１０は、光学検出部１４０により検出された吸光度に基づいて、検査水Ｗ１０１に含まれるシリカ成分の濃度を測定する。センサ制御部１１０は、測定した検査水Ｗ１０１のシリカ濃度の測定値をセンサ表示部１６０に表示させる。センサ制御部１１０は、後述する検量線を、測定波長毎に内部のメモリに格納している。
【００９８】
センサ制御部１１０は、低濃度のシリカ濃度を測定するために、吸光度測定部の一部を構成する吸光度算出部１１１と、変化量算出部１１２と、計時部１１３と、シリカ濃度検出部１１４と、を有する。
【００９９】
吸光度算出部１１１は、光学検出部１４０により検出された透過光量の検出値に基づいて、第１時間Ｔ１及び第２時間Ｔ２（図５参照）において、検査水Ｗ１０１の吸光度を算出する。これにより、本実施形態においては、光学検出部１４０及び吸光度算出部１１１は、試薬Ｗ１０２が添加された検査水Ｗ１０１における３７５ｎｍの吸光度を測定する。
【０１００】
第１時間Ｔ１は、試薬Ｗ１０２が添加された直後の時間である（図５参照）。第１時間Ｔ１は、好ましくは、検査水Ｗ１０１に試薬Ｗ１０２が添加されてから３分以内である。なお、第１時間Ｔ１は、規定量の試薬Ｗ１０２の添加を実行可能な範囲で、規定量の試薬Ｗ１０２の添加が完了された直後に近い時間が採用される。本実施形態においては、第１時間Ｔ１は、２分程度である（図５参照）。また、試薬Ｗ１０２の添加操作に要する時間が極く短時間の場合には、第１時間Ｔ１は、検査水Ｗ１０１に試薬Ｗ１０２が添加された時間と同時である０分であってもよい。
【０１０１】
第２時間Ｔ２は、検査水Ｗ１０１と試薬Ｗ１０２との反応が終了した試薬反応終了時間である（図５参照）。第２時間Ｔ２は、検査水Ｗ１０１と試薬Ｗ１０２との呈色反応がほぼ完結し、検査水Ｗ１０１の発色が安定する時間であり、予め試験等により求められた時間であって、予めセンサ制御部１１０のメモリ（不図示）に記憶されている。本実施形態においては、第２時間Ｔ２は、試薬Ｗ１０２の添加が開始されてから、２０分程度である（図５参照）。
【０１０２】
計時部１１３は、第２時間Ｔ２を計時する。計時部１１３により計時された第２時間Ｔ２において、吸光度算出部１１１は、検査水Ｗ１０１の吸光度を算出する。
【０１０３】
変化量算出部１１２は、光学検出部１４０及び吸光度算出部１１１により測定される試薬Ｗ１０２が添加された検査水Ｗ１０１の吸光度について、試薬Ｗ１０２が添加されてから第１時間Ｔ１経過後の検査水Ｗ１０１の吸光度Ａ１と、試薬Ｗ１０２が添加されてから第１時間Ｔ１よりも長い第２時間Ｔ２経過後の検査水Ｗ１０１の吸光度Ａ２との変化量、すなわち差分Ａ２−Ａ１を算出する。
【０１０４】
シリカ濃度検出部１１４は、変化量算出部１１２により算出された吸光度の変化量（差分）に基づいて、シリカ濃度を検出する。具体的には、シリカ濃度検出部１１４は、算出された吸光度の変化量（差分）を検査水Ｗ１０１の吸光度と見做し、この吸光度に対してシリカ濃度と吸光度との検量線を用いて検査水Ｗ１０１中のシリカ濃度を求める。検量線は、予めシリカ標準液を用いてシリカ濃度と吸光度との関係線として作成されており、センサ制御部１１０のメモリ（不図示）に記憶されている。本実施形態においては、メモリ（不図示）には、検査水Ｗ１０１の吸光度とシリカ濃度との検量線として、検査水Ｗ１０１と試薬Ｗ１０２との呈色反応が完結された状態で作成された検量線が記憶されている。
【０１０５】
以上のように構成される第１シリカ濃度センサＳＳ１〜第３Ｂシリカ濃度センサＳＳ３Ｂは、測定波長を切り替えることより、高濃度のシリカのシリカ濃度（１０〜８０ｍｇＳｉＯ２／Ｌ）を測定可能な高濃度レンジと、低濃度のシリカのシリカ濃度（０．１〜１ｍｇＳｉＯ２／Ｌ）を測定可能な低濃度レンジとを、切替可能である。本実施形態においては、第１シリカ濃度センサＳＳ１は、透過水Ｗ２のシリカ濃度を検出するため、低濃度レンジで使用される。また、第２シリカ濃度センサＳＳ２は、後述する希釈装置１８により製造された希釈濃縮水Ｗ３０のシリカ濃度を検出し、希釈濃縮水Ｗ３０のシリカ濃度は高濃度のレンジで検出可能であるため、高濃度レンジで使用される。
【０１０６】
次に、希釈装置１８について説明する。
希釈装置１８は、図２Ｂ及び図６に示すように、第２シリカ濃度センサＳＳ２に取り付けられている。希釈装置１８は、第２シリカ濃度センサＳＳ２において精度よくシリカ濃度を検出するために、第２シリカ濃度センサＳＳ２による検出対象の濃縮水Ｗ３を希釈する機器である。希釈装置１８は、ＲＯ膜モジュール７により分離された濃縮水Ｗ３と純水製造装置１内を流通する透過水Ｗ２（希釈水）とを混合して、希釈濃縮水Ｗ３０（第１希釈濃縮水）を製造する。このようにして、希釈装置１８は、ＲＯ膜モジュール７により分離された透過水Ｗ２を希釈水として用いて、ＲＯ膜モジュール７により分離された濃縮水Ｗ３を希釈する。本実施形態の希釈装置１８は、機械式の構成であり、電気的制御を使用せずに、濃縮水Ｗ３と透過水Ｗ２とを一定の比率で混合するように構成される。
【０１０７】
希釈装置１８は、図６に示すように、混合槽１８１と、駆動部としての容積式タービン部１８２と、従動部としての容積式ポンプ部１８３と、第６逆止弁Ｖ６６と、第７逆止弁Ｖ６７と、を備える。また、希釈装置１８は、第１導入ラインＬ２０１と、第２導入ラインＬ２０２と、希釈濃縮水導出ラインＬ２０３と、を備える。
【０１０８】
混合槽１８１は、ＲＯ膜モジュール７により分離された濃縮水Ｗ３と透過水Ｗ２とが混合される槽である。混合槽１８１には、ＲＯ膜モジュール７からの水圧により第１導入ラインＬ２０１を流通する濃縮水Ｗ３と、後述する容積式ポンプ部１８３による水圧により第２導入ラインＬ２０２を流通する透過水Ｗ２と、が導入される。混合槽１８１において混合された濃縮水Ｗ３及び透過水Ｗ２は、希釈濃縮水Ｗ３０となる。希釈装置１８で希釈された希釈濃縮水Ｗ３０は、希釈濃縮水導出ラインＬ２０３を介して、第２シリカ濃度センサＳＳ２へ供給される。希釈濃縮水導出ラインＬ２０３の上流側の端部は、混合槽１８１と接続されている。希釈濃縮水導出ラインＬ２０３の下流側の端部は、第２シリカ濃度センサＳＳ２と接続されている。
【０１０９】
第１導入ラインＬ２０１は、ＲＯ濃縮水リターンラインＬ５１を流通するＲＯ膜モジュール７により分離された濃縮水Ｗ３を、濃縮水導入ラインＬ１１１を介して、混合槽１８１に導入するラインである。第１導入ラインＬ２０１には、ＲＯ膜モジュール７の水圧により、濃縮水Ｗ３が導入される。ＲＯ濃縮水リターンラインＬ５１を流通する濃縮水Ｗ３の水圧は、透過水ラインＬ２１を流通する透過水Ｗ２の水圧よりも高い。第１導入ラインＬ２０１は、濃縮水導入ラインＬ１１１を介して、ＲＯ濃縮水リターンラインＬ５１と接続されている。
【０１１０】
濃縮水導入ラインＬ１１１の上流側の端部は、接続部Ｊ６１（図２Ｂ参照）に接続されている。接続部Ｊ６１は、ＲＯ濃縮水リターンラインＬ５１におけるＲＯ膜モジュール７と接続部Ｊ５３との間に配置される。濃縮水導入ラインＬ１１１の下流側の端部は、第１導入ラインＬ２０１の上流側の端部に接続されている。
【０１１１】
第１導入ラインＬ２０１には、濃縮水導入ラインＬ１１１側の入口側から順に、第６逆止弁Ｖ６６、容積式タービン部１８２、混合槽１８１が設けられている。
容積式タービン部１８２は、第１導入ラインＬ２０１に導入されるＲＯ膜モジュール７により分離された濃縮水Ｗ３の水圧により混合槽１８１に導入される際に、駆動される。容積式タービン部１８２の回転軸は、容積式タービン部１８２に導入された濃縮水Ｗ３の水圧により回転子（不図示）が回転することで、回転する。容積式タービン部１８２の回転軸は、連結部材１８４により、後述する容積式ポンプ部１８３の回転軸に連結されている。
【０１１２】
第２導入ラインＬ２０２は、透過水ラインＬ２１を流通するＲＯ膜モジュール７により分離された透過水Ｗ２を、透過水導入ラインＬ１１２を介して、混合槽１８１に導入するラインである。第２導入ラインＬ２０２は、透過水導入ラインＬ１１２を介して、透過水ラインＬ２１と接続されている。
【０１１３】
透過水導入ラインＬ１１２の上流側の端部は、接続部Ｊ６２（図２Ｂ参照）に接続されている。接続部Ｊ６２は、透過水ラインＬ２１におけるＲＯ膜モジュール７と第３逆止弁Ｖ６３との間に配置される。透過水導入ラインＬ１１２の下流側の端部は、第２導入ラインＬ２０２の上流側の端部に接続されている。
【０１１４】
第２導入ラインＬ２０２には、透過水導入ラインＬ１１２側の入口側から順に、第７逆止弁Ｖ６７、容積式ポンプ部１８３、混合槽１８１が設けられている。
容積式ポンプ部１８３は、容積式タービン部１８２の駆動に従動して駆動される。容積式ポンプ部１８３は、混合槽１８１へ向けて水圧を発生させて濃縮水Ｗ３の水圧よりも低い水圧の希釈水である透過水Ｗ２を、混合槽１８１に導入する。具体的には、容積式ポンプ部１８３の回転軸は、容積式タービン部１８２の回転軸が回転することで、連結部材１８４を介して回転される。容積式ポンプ部１８３の回転部材（不図示）は、容積式ポンプ部１８３の回転軸が回転されることで、透過水Ｗ２を混合槽１８１へ向けて送出する水圧を発生させる。これにより、容積式ポンプ部１８３は、濃縮水Ｗ３の水圧よりも低い透過水Ｗ２を混合槽１８１へ導入する。
【０１１５】
以上のように構成される希釈装置１８は、本実施形態においては、容積式タービン部１８２を圧送される濃縮水Ｗ３の容積と容積式ポンプ部１８３を圧送される透過水Ｗ２の容積との容積比が１対２となっている。つまり、濃縮水Ｗ３と透過水Ｗ２とが１対２の割合で混合槽１８１へ送り込まれるため、本実施形態における希釈装置１８は、濃縮水Ｗ３と透過水Ｗ２との混合比率が１対２となっている。本実施形態における希釈装置１８は、ＲＯ膜モジュール７からの濃縮水Ｗ３の水圧を利用して、機械式の構成で、濃縮水Ｗ３と透過水Ｗ２との混合比率が１対２となるように構成されている。なお、濃縮水Ｗ３と透過水Ｗ２との混合比率は、容積式タービン部１８２と容積式ポンプ部１８３との容積比を変更することで、適宜設定可能である。なお、容積式タービン部１８２の回転子及び容積式ポンプ部１８３の回転部材は、例えば幾何学的な形状を有するロータやギヤなどが使用される。
【０１１６】
混合槽１８１で混合されて製造された希釈濃縮水Ｗ３０は、希釈濃縮水導入ラインＬ２０５により、第２シリカ濃度センサＳＳ２に導入される。ここで、図６に示す希釈濃縮水導入ラインＬ２０５は、図４に示す前述のシリカ濃度センサの構造における検査水導入ラインＬ１０１に相当する。図６に示すように、希釈濃縮水導入ラインＬ２０５の上流側の端部は、希釈装置１８の希釈濃縮水導出ラインＬ２０３の下流側の端部と接続されている。希釈濃縮水導入ラインＬ２０５の下流側の端部は、第２シリカ濃度センサＳＳ２の内部において測定セル１２０（図４参照）と接続されている。希釈濃縮水導入ラインＬ２０５（検査水導入ラインＬ１０１）の途中には、図４にも示した電磁弁１２３が設けられている。
【０１１７】
入力操作部４０は、装置の運転状態に係る選択（例えば、運転／停止の選択、警報の解除等）、装置の運転条件に係る各種設定について、ユーザー又は管理者の入力操作を受け付ける入力インターフェースである。この入力操作部４０は、ディスプレイとボタンスイッチを組み合わせた操作パネル、ディスプレイ上で直接操作するタッチパネル等により構成される。入力操作部４０は、制御部３０と電気的に接続されている。入力操作部４０から入力された情報は、制御部３０に送信される。
【０１１８】
主表示部６０は、所望の情報を表示する。主表示部６０は、制御部３０と電気的に接続されている。主表示部６０は、表示により所定の警報を報知する報知手段としても機能する。なお、本実施形態においては、報知手段として、表示により警報を報知するように主表示部６０を構成したが、これに制限されない。報知手段による報知は、例えば、表示、音声、発光などのうちの一つ以上であってもよい。つまり、報知手段は、表示器（液晶ディスプレイ等）、ブザーやスピーカー、ランプなどのうちの一つ以上から構成されてもよい。
【０１１９】
次に、制御部３０について説明する。制御部３０は、ＣＰＵ及びメモリを含むマイクロプロセッサ（不図示）により構成される。制御部３０において、マイクロプロセッサのＣＰＵは、メモリから読み出した所定のプログラムに従って、後述する各種の制御を実行する。制御部３０において、マイクロプロセッサのメモリには、純水製造装置１を制御するためのデータや各種プログラムが記憶される。また、制御部３０のマイクロプロセッサには、時間の計時等を管理するインテグレーテッドタイマユニット（以下、「ＩＴＵ」ともいう）が組み込まれている。
【０１２０】
制御部３０は、流量フィードバック水量制御として、第１流量センサＦＭ１の検出流量値が予め設定された目標流量値となるように、速度形デジタルＰＩＤアルゴリズムにより、加圧ポンプ５の駆動周波数を演算し、当該駆動周波数の演算値に対応する電流値信号（周波数指定信号）をインバータ６に出力する。制御部３０による流量フィードバック水量制御については後述する。
【０１２１】
制御部３０は、第１検出シリカ濃度値Ｃｐと第２検出シリカ濃度値Ｃｍとから、ＲＯ膜モジュール７により分離された濃縮水Ｗ３のシリカ濃度を演算シリカ濃度値Ｃｃとして演算し、演算シリカ濃度値Ｃｃが許容シリカ濃度値Ｃａとなるように、回収率（ＲＯ膜モジュール７へ供給される供給水の流量に対する第１透過水の流量の比率）を調整する。この回収率制御は、上述した流量フィードバック水量制御と並行して実行される。
【０１２２】
制御部３０は、許容シリカ濃度値Ｃａを、第１温度センサＴＥ１により検出された供給水Ｗ１の検出温度値Ｔから決定した濃縮水Ｗ３のシリカ溶解度Ｓｓに安全率を乗じて算出する。
【０１２３】
制御部３０は、下記の式（１）の計算式より、濃縮水Ｗ３の演算シリカ濃度値Ｃｃを演算する。
Ｃｃ＝［Ｃｍ・（Ｖｃ＋Ｖｐ）−Ｃｐ・Ｖｐ］／Ｖｃ            （１）
なお、Ｖｃ［ｍＬ］を濃縮水Ｗ３のサンプル水量値とし、Ｖｐ［ｍＬ］を透過水Ｗ２（希釈水）のサンプル水量値とし、Ｃｃ［ｍｇＳｉＯ２／Ｌ］を濃縮水Ｗ３の演算シリカ濃度値とし、Ｃｐ［ｍｇＳｉＯ２／Ｌ］を透過水Ｗ２（希釈水）の第１検出シリカ濃度値とし、Ｃｍ［ｍｇＳｉＯ２／Ｌ］を第１希釈濃縮水Ｗ３０の第２検出シリカ濃度値とした。
【０１２４】
制御部３０は、回収率を調整する方法として、例えば、以下の第１回収率制御方法又は／及び第２回収率制御方法を採用することができる。
【０１２５】
制御部３０は、第１回収率制御方法として、演算シリカ濃度値Ｃｃが許容シリカ濃度値Ｃａとなるように、ＲＯ膜モジュール７により分離された透過水Ｗ２の流量を一定に維持しながら、ＲＯ膜モジュール７により分離された濃縮水Ｗ３の流量を増減させることにより回収率を調整する。具体的には、演算シリカ濃度値Ｃｃ＞許容シリカ濃度値Ｃａである場合には、透過水Ｗ２の目標流量を一定に維持するように加圧ポンプ５の回転速度を制御すると共に、濃縮水Ｗ３の流量を増加させるように第１排水弁Ｖ３２〜第３排水弁Ｖ３４を制御し、回収率を減少させる。一方、演算シリカ濃度値Ｃｃ＜許容シリカ濃度値Ｃａである場合には、透過水Ｗ２の目標流量を一定に維持するように加圧ポンプ５の回転速度を制御すると共に、濃縮水Ｗ３の流量を減少させるように第１排水弁Ｖ３２〜第３排水弁Ｖ３４を制御し、回収率を増加させる。
【０１２６】
制御部３０は、第２回収率制御方法として、演算シリカ濃度値Ｃｃが許容シリカ濃度値Ｃａとなるように、ＲＯ膜モジュール７により分離された濃縮水Ｗ３の流量を一定に維持すると共に、ＲＯ膜モジュール７により分離された透過水Ｗ２の流量を増減させることにより回収率を調整する。具体的には、演算シリカ濃度値Ｃｃ＞許容シリカ濃度値Ｃａである場合には、濃縮水Ｗ３の排水流量を一定に維持するように第１排水弁Ｖ３２〜第３排水弁Ｖ３４を制御すると共に、透過水Ｗ２の目標流量を減少させるように加圧ポンプ５の回転速度を制御し、回収率を減少させる。一方、演算シリカ濃度値Ｃｃ＜許容シリカ濃度値Ｃａである場合には、濃縮水Ｗ３の排水流量を一定に維持するように第１排水弁Ｖ３２〜第３排水弁Ｖ３４を制御すると共に、透過水Ｗ２の目標流量を増加させるように加圧ポンプ５の回転速度を制御し、回収率を増加させる。
【０１２７】
次に、制御部３０による流量フィードバック水量制御について説明する。図７は、制御部３０において流量フィードバック水量制御を実行する場合の処理手順を示すフローチャートである。図７に示すフローチャートの処理は、純水製造装置１の運転中において、繰り返し実行される。
【０１２８】
図７に示すステップＳＴ１０１において、制御部３０は、透過水Ｗ２の目標流量値Ｑｐ´を取得する。この目標流量値Ｑｐ´は、例えば、装置管理者が入力操作部４０を介して制御部３０のメモリに入力した設定値である。
【０１２９】
ステップＳＴ１０２において、制御部３０は、ＩＴＵによる計時ｔが制御周期（Δｔ）である１００ｍｓに達したか否かを判定する。このステップＳＴ１０２において、制御部３０により、ＩＴＵによる計時ｔが１００ｍｓに達したと（ＹＥＳ）判定された場合に、処理はステップＳＴ１０３へ移行する。また、ステップＳＴ１０２において、制御部３０により、ＩＴＵによる計時ｔが１００ｍｓに達していない（ＮＯ）と判定された場合に、処理はステップＳＴ１０２へ戻る。
【０１３０】
ステップＳＴ１０３（ステップＳＴ１０２：ＹＥＳ判定）において、制御部３０は、第１流量センサＦＭ１の検出流量値Ｑｐをフィードバック値として取得する。
【０１３１】
ステップＳＴ１０４において、制御部３０は、ステップＳＴ１０３で取得した検出流量値（フィードバック値）Ｑｐと、ステップＳＴ１０１で取得した目標流量値Ｑｐ´との偏差がゼロとなるように、速度形デジタルＰＩＤアルゴリズムにより操作量Ｕｎを演算する。速度形デジタルＰＩＤアルゴリズムでは、制御周期Δｔ（１００ｍｓ）毎に操作量の変化分ΔＵｎを演算し、これを前回の制御周期時点の操作量Ｕｎ−１に加算することで現時点の操作量Ｕｎを決定する。
【０１３２】
速度形デジタルＰＩＤアルゴリズムに用いられる演算式は、下記の式（２ａ）及び式（２ｂ）により表される。
ΔＵｎ＝Ｋｐ｛（ｅｎ−ｅｎ−１）＋（Δｔ／Ｔｉ）×ｅｎ＋（Ｔｄ／Δｔ）×（ｅｎ−２ｅｎ−１＋ｅｎ−２）｝            （２ａ）
Ｕｎ＝Ｕｎ−１＋ΔＵｎ            （２ｂ）
【０１３３】
式（２ａ）及び式（２ｂ）において、Δｔ：制御周期、Ｕｎ：現時点の操作量、Ｕｎ−１：前回の制御周期時点の操作量、ΔＵｎ：前回から今回までの操作量の変化分、ｅｎ：現時点の偏差の大きさ、ｅｎ−１：前回の制御周期時点の偏差の大きさ、ｅｎ−２：前々回の制御周期時点の偏差の大きさ、Ｋｐ：比例ゲイン、Ｔｉ：積分時間、Ｔｄ：微分時間である。なお、現時点の偏差の大きさｅｎは、下記の式（３）により求められる。
ｅｎ＝Ｑｐ´−Ｑｐ            （３）
【０１３４】
ステップＳＴ１０５において、制御部３０は、現時点の操作量Ｕｎ、目標流量値Ｑｐ´及び加圧ポンプ５の最大駆動周波数（５０Ｈｚ又は６０Ｈｚの設定値）を使用して、所定の演算式により、加圧ポンプ５の駆動周波数Ｆ［Ｈｚ］を演算する。
【０１３５】
ステップＳＴ１０６において、制御部３０は、駆動周波数Ｆの演算値を、対応する電流値信号（周波数指定信号：４〜２０ｍＡ）に変換し、この電流値信号をインバータ６に出力する。これにより本フローチャートの処理は終了する（ステップＳＴ１０１へリターンする）。なお、ステップＳＴ１０６において、制御部３０が電流値信号をインバータ６へ出力すると、インバータ６は、入力された電流値信号で指定された周波数に変換された駆動電力を加圧ポンプ５に供給する。その結果、加圧ポンプ５は、インバータ６から入力された駆動周波数に応じた回転速度で駆動される。
【０１３６】
次に、制御部３０による回収率を調整する制御について説明する。
図８に示すステップＳＴ２０１において、制御部３０は、第１温度センサＴＥ１から供給水Ｗ１の検出温度値Ｔを取得する。
【０１３７】
ステップＳＴ２０２において、制御部３０は、取得した検出温度値Ｔに基づいて、水に対するシリカ溶解度Ｓｓを決定する。また、制御部３０は、シリカ溶解度Ｓｓに安全率を乗じて、許容シリカ濃度値Ｃａを算出する。
【０１３８】
ステップＳＴ２０３において、第１シリカ濃度センサＳＳ１から透過水Ｗ２の第１検出シリカ濃度値Ｃｐを取得すると共に、第２シリカ濃度センサＳＳ２から希釈濃縮水Ｗ３０の第２検出シリカ濃度値Ｃｍを取得する。
【０１３９】
ステップＳＴ２０４において、制御部３０は、第１検出シリカ濃度値Ｃｐ及び第２検出シリカ濃度値Ｃｍに基づいて、上記の式（１）により、演算シリカ濃度値Ｃｃを演算する。
【０１４０】
ステップＳＴ２０５において、制御部３０は、演算シリカ濃度値Ｃｃが許容シリカ濃度値Ｃａとなるように、回収率を調整する。具体的には、例えば、制御部３０は、次の第１回収率制御方法又は第２回収率制御方法を実行する。例えば、制御部３０は、第１回収率制御方法として、演算シリカ濃度値Ｃｃが許容シリカ濃度値Ｃａとなるように、透過水Ｗ２の目標流量を一定に維持するように加圧ポンプ５の回転速度を制御すると共に濃縮水Ｗ３の流量を増減させるように第１排水弁Ｖ３２〜第３排水弁Ｖ３４を制御して回収率を調整する。また、例えば、制御部３０は、第２回収率制御方法として、演算シリカ濃度値Ｃｃが許容シリカ濃度値Ｃａとなるように、濃縮水Ｗ３の排水流量を一定に維持するように第１排水弁Ｖ３２〜第３排水弁Ｖ３４を制御すると共に透過水Ｗ２の目標流量を減少させるように加圧ポンプ５の回転速度を制御して回収率を調整する。
これにより本フローチャートの処理は終了する（ステップＳＴ２０１へリターンする）。第１実施形態に係る純水製造装置１において、精度よく検出された濃縮水のシリカ濃度値に基づいて回収率を調整して、シリカ系スケールの析出を抑制することができる。
【０１４１】
次に、ＲＯ膜モジュール７の内部において、局部的に濃縮水の濃度が高くなった場合に警報を報知する動作について説明する。図９は、制御部３０においてＲＯ膜モジュール７の内部において濃縮水の濃度が高い場合に警報が報知される制御を示すフローチャートである。図９に示すフローチャートの処理は、純水製造装置１の運転中において、繰り返し実行される。
【０１４２】
ステップＳＴ３０１において、制御部３０は、第３Ａシリカ濃度センサＳＳ３Ａから第３Ａ検出シリカ濃度値Ｃｑを取得する。制御部３０は、第３Ｂシリカ濃度センサＳＳ３Ｂから第３Ｂ検出シリカ濃度値Ｃｒを取得する。
【０１４３】
ステップＳＴ３０２において、制御部３０は、取得した第３Ａ検出シリカ濃度値Ｃｑ又は第３Ｂ検出シリカ濃度値Ｃｒが所定閾値を下回るか否かを判定する。取得した第３Ａ検出シリカ濃度値Ｃｑが所定閾値を上回ると判定された場合（ＮＯ）には、第１サブモジュール７１において局所的なシリカの過濃縮が起こっている可能性がある。同様に、取得した第３Ｂ検出シリカ濃度値Ｃｒが所定閾値を上回ると判定された場合（ＮＯ）には、第２サブモジュール７２において局所的なシリカの過濃縮が起こっている可能性がある。そこで、ステップＳＴ３０２の判定がＮＯの場合には、処理は、ステップＳＴ３０３に進み、シリカの過濃縮に係る警報を報知する。警報の報知が行われると、本フローチャートの処理は終了する（ステップＳＴ３０１へリターンする）。一方、取得した第３Ａ検出シリカ濃度値Ｃｑ又は第３Ｂ検出シリカ濃度値Ｃｒが所定閾値を下回ると判定された場合（ＹＥＳ）には、そのまま本フローチャートの処理は終了する（ステップＳＴ３０１へリターンする）。
【０１４４】
上述した第１実施形態に係る純水製造装置１によれば、例えば、以下のような効果が奏される。
【０１４５】
第１実施形態に係る純水製造装置１において、供給水Ｗ１を透過水Ｗ２と濃縮水Ｗ３とに分離するＲＯ膜モジュール７と、ＲＯ膜モジュール７により分離された濃縮水Ｗ３に、純水製造装置１内を流通する透過水（希釈水）Ｗ２を混合して希釈濃縮水Ｗ３０を製造する希釈装置１８と、純水製造装置１内を流通する透過水（希釈水）Ｗ２のシリカ濃度を第１検出シリカ濃度値Ｃｐとして検出する第１シリカ濃度センサＳＳ１と、希釈装置１８により製造された第１希釈濃縮水Ｗ３０のシリカ濃度を第２検出シリカ濃度値Ｃｍとして検出する第２シリカ濃度センサＳＳ２と、第１検出シリカ濃度値Ｃｐと第２検出シリカ濃度値Ｃｍとから第１濃縮水Ｗ３のシリカ濃度を演算シリカ濃度値Ｃｃとして演算し、演算シリカ濃度値Ｃｃが許容シリカ濃度値Ｃａとなるように、回収率（ＲＯ膜モジュール７へ供給される供給水Ｗ１の流量に対する第１透過水Ｗ２の流量の比率）を調整する制御部３０と、を備える。
【０１４６】
そのため、純水製造装置１内を流通する透過水Ｗ２を希釈水として利用して、濃縮水Ｗ３を希釈して希釈濃縮水Ｗ３０を製造することにより、濃縮水Ｗ３のシリカ濃度を演算することができる。これにより、濃度測定レンジに制限のある第２シリカ濃度センサＳＳ２を用いて濃縮水Ｗ３のシリカ濃度を精度よく検出することができると共に、精度よく検出した濃縮水Ｗ３のシリカ濃度に基づいて、回収率を調整することができる。従って、シリカ系スケールの析出を効果的に抑制することができる。
【０１４７】
また、本実施形態においては、希釈装置１８は、ＲＯ膜モジュール７により分離された濃縮水Ｗ３と透過水Ｗ２とが混合される混合槽１８１と、ＲＯ膜モジュール７により分離された濃縮水Ｗ３の水圧により混合槽１８１に導入される際に駆動される容積式タービン部１８２と、容積式タービン部１８２の駆動に従動して駆動される容積式ポンプ部１８３であって混合槽１８１へ向けて水圧を発生させて濃縮水Ｗ３の水圧よりも低い水圧の希釈水を混合槽に導入する容積式ポンプ部１８３と、を有する。そのため、ＲＯ膜モジュール７からの濃縮水Ｗ３の水圧で駆動する機械式の希釈装置１８を利用することにより、電気的制御を使用することなく、濃縮水Ｗ３に対して透過水Ｗ２を簡易な構成で混合して希釈することができる。
【０１４８】
また、本実施形態においては、ＲＯ膜モジュール７は、３つのサブモジュール７１，７２，７３を備え、３つのサブモジュール７１，７２，７３は、３つのサブモジュール７１，７２，７３それぞれから分離された濃縮水が次のサブモジュールに供給されるように直列に接続され、第３Ａ検出シリカ濃度値を検出する第３Ａシリカ濃度センサＳＳ３Ａ又は第３Ｂ検出シリカ濃度値を検出する第３Ｂシリカ濃度センサＳＳ３Ｂと、警報を報知する主表示部６０と、を備え、制御部３０は、第３Ａ検出シリカ濃度値又は第３Ｂ検出シリカ濃度値が所定閾値を上回る場合に、主表示部６０に表示させることによる報知を実行する。そのため、ＲＯ膜モジュール７の内部におけるサブモジュール７１，７２，７３間の濃縮水のシリカ濃度を測定することで、ＲＯ膜モジュール７の内部における局部的なシリカ濃度の異常（過濃縮）が発生していないかを監視し、濃縮水のシリカ濃度の異常が発生した場合に報知することで、シリカ系スケール付着のリスクが高まっていることをユーザーに認識させることができる。これにより、ユーザーに対してＲＯ膜モジュール７に対するフラッシング頻度や循環比（透過水の流量に対する濃縮水の流量の比率）の見直し等を促すことができる。
【０１４９】
（第２実施形態）
次に、本発明の第２実施形態に係る純水製造装置１Ａについて、図１０及び図１１Ａ〜図１１Ｃを参照しながら説明する。図１０は、第２実施形態に係る純水製造装置１Ａの全体概略図である。図１１Ａは、第２実施形態に係る純水製造装置１Ａの全体構成図の前段部分である。図１１Ｂは、第２実施形態に係る純水製造装置１Ａの全体構成図の中段部分である。図１１Ｃは、第２実施形態に係る純水製造装置１Ａの全体構成図の後段部分である。
【０１５０】
第２実施形態では、主に第１実施形態との相違点について説明する。このため、第１実施形態と同一（又は同等）の構成については同じ符号を付し、詳細な説明を省略する。また、第２実施形態において特に説明しない点については、第１実施形態の説明が適宜に適用される。
【０１５１】
第２実施形態に係る純水製造装置１Ａは、第１実施形態に係る純水製造装置１がＲＯ膜モジュール７の下流側に脱炭酸装置１５を備えているのに対して、脱炭酸装置１５の下流側に、更に脱イオン部としての電気脱イオンスタック（以下、「ＥＤＩスタック」ともいう）１６を備えている点、及びこれらの周辺の構成において、第１実施形態に係る純水製造装置１と主に異なる。
【０１５２】
また、第２実施形態に係る純水製造装置１Ａは、第１実施形態の希釈装置１８における第２導入ラインＬ２０２の下流側の端部が透過水導入ラインＬ１１２を介して透過水ラインＬ２１に接続されているのに対して脱塩水導入ラインＬ１１３を介して脱塩水ラインＬ３に接続されている点、及び、第１実施形態が透過水ラインＬ２１に第１シリカ濃度センサＳＳ１を備えているのに代えて脱塩水ラインＬ３に第４シリカ濃度センサＳＳ４を備えている点で、第１実施形態に係る純水製造装置１と相違する。
【０１５３】
図１０に示すように、第２実施形態に係る純水製造装置１Ａは、第１オプション機器ＯＰ１と、プレフィルタ４と、第２オプション機器ＯＰ２と、加圧ポンプ５と、インバータ６と、ＲＯ膜モジュール７と、脱炭酸装置１５と、第１流路切換弁Ｖ７１と、ＥＤＩスタック１６と、第２流路切換弁Ｖ７２と、第３オプション機器ＯＰ３と、制御部３０Ａと、入力操作部４０と、直流電源装置５０と、主表示部６０と、を備える。
【０１５４】
図１１Ａに示すように、第２実施形態に係る純水製造装置１Ａは、第２供給水ラインＬ１２の接続部Ｊ５に、第２オプション機器ＯＰ２が接続され、軟水供給ラインＬ２４は接続されていない。第２実施形態に係る純水製造装置１Ａにおいて、脱炭酸装置１５の封水タンクには、ＥＤＩスタック１６（濃縮室１６２）から排出された濃縮水Ｗ７が供給され、封水Ｗ８として利用される。
【０１５５】
本実施形態の透過水ラインＬ２１は、図１１Ｂ及び図１１Ｃに示すように、前段側透過水ラインＬ２１１と、中段側透過水ラインＬ２１２と、脱塩室流入ラインＬ２１３と、濃縮室流入ラインＬ２１４と、を有する。
【０１５６】
本実施形態において、前段側透過水ラインＬ２１１の下流側の端部は、図１１Ｃに示すように、第１流路切換弁Ｖ７１を介して、中段側透過水ラインＬ２１２及びＲＯ透過水リターンラインＬ４１に接続されている。
【０１５７】
図１１Ｂに示すように、第２実施形態に係る純水製造装置１Ａは、第２供給水ラインＬ１２において、供給水補給弁Ｖ３１と接続部Ｊ５１との間に接続部Ｊ５９が設けられている。接続部Ｊ５９には、後述する脱塩水リターンラインＬ４２の下流側の端部が接続されている。
【０１５８】
図１１Ｃに示すように、本実施形態の第１流路切換弁Ｖ７１は、ＲＯ膜モジュール７で分離された透過水Ｗ２を、中段側透過水ラインＬ２１２を介してＥＤＩスタック１６へ向けて流通させる流路（採水側流路）、又は、ＲＯ透過水リターンラインＬ４１を介してＲＯ膜モジュール７の上流側の供給水ラインＬ１へ向けて流通させる流路（循環側流路）に切り換え可能な弁である。
【０１５９】
本実施形態において、中段側透過水ラインＬ２１２の下流側の端部は、分岐部Ｊ７１において、脱塩室流入ラインＬ２１３の上流側の端部及び濃縮室流入ラインＬ２１４の上流側の端部に接続されている。
【０１６０】
中段側透過水ラインＬ２１２の上流側の端部は、第１流路切換弁Ｖ７１に接続されている。中段側透過水ラインＬ２１２の下流側の端部は、分岐部Ｊ７１において、脱塩室流入ラインＬ２１３の上流側の端部及び濃縮室流入ラインＬ２１４の上流側の端部に接続されている。
【０１６１】
脱塩室流入ラインＬ２１３の下流側の端部は、ＥＤＩスタック１６の一次側ポート（脱塩室１６１の入口側）に接続されている。脱塩室流入ラインＬ２１３には、接続部Ｊ３３が配置されている。濃縮室流入ラインＬ２１４の下流側の端部は、ＥＤＩスタック１６の一次側ポート（濃縮室１６２の各入口側）に接続されている。濃縮室流入ラインＬ２１４には、上流側から順に、第５定流量弁Ｖ５５、接続部Ｊ３４が設けられている。
【０１６２】
ＥＤＩスタック１６は、ＲＯ膜モジュール７で供給水Ｗ１から分離された透過水Ｗ２（第１透過水）を脱塩処理（脱イオン処理）して、脱イオン水としての脱塩水Ｗ６と濃縮水Ｗ７とを得る水処理機器である。ＥＤＩスタック１６は、直流電源装置５０（図１０参照）と電気的に接続されている。ＥＤＩスタック１６には、直流電源装置５０から直流電圧が印加される。ＥＤＩスタック１６は、直流電源装置５０から印加された直流電圧により通電され、動作する。
【０１６３】
直流電源装置５０は、直流電圧をＥＤＩスタック１６の一対の電極間に印加する。直流電源装置５０は、制御部３０Ａと電気的に接続されている。直流電源装置５０は、制御部３０Ａにより入力された電圧指定信号（又は、電流指定信号）に応答して、直流電圧をＥＤＩスタック１６に印加する。
【０１６４】
ＥＤＩスタック１６は、一対の電極間に、陽イオン交換膜及び陰イオン交換膜（不図示）が交互に配置される。ＥＤＩスタック１６の内部は、これらイオン交換膜により、脱塩室１６１及び濃縮室１６２（陽極室及び陰極室を含む）に区画される。脱塩室１６１には、イオン交換体（不図示）が充填される。脱塩室１６１に充填されるイオン交換体としては、例えば、イオン交換樹脂又はイオン交換繊維等が用いられる。なお、図１１Ｃでは、ＥＤＩスタック１６の内部に区画された複数の脱塩室１６１及び濃縮室１６２を模式的に示す。
【０１６５】
脱塩室１６１の入口側には、透過水Ｗ２を流入させる脱塩室流入ラインＬ２１３が接続されている。脱塩室１６１の出口側には、脱塩室１６１においてイオンが除去されて排出された脱塩水Ｗ６を流通させる脱塩水ラインＬ３が接続されている。濃縮室１６２の入口側には、透過水Ｗ２を流入させる濃縮室流入ラインＬ２１４が接続されている。濃縮室１６２の出口側には、イオンが濃縮されて排出された濃縮水Ｗ７を流通させるＥＤＩ濃縮水ラインＬ５２が接続されている。
【０１６６】
脱塩室１６１及び濃縮室１６２それぞれには、透過水ラインＬ２１を流通する透過水Ｗ２が流入される。透過水Ｗ２に含まれる残留イオンは、脱塩室１６１内に充填されたイオン交換体（不図示）により捕捉され、脱塩水Ｗ６となる。脱塩水Ｗ６は、脱塩水ラインＬ３（後述）を介して需要箇所へ送出される。また、脱塩室１６１内のイオン交換体に捕捉された残留イオンは、印加された直流電圧の電気エネルギーにより濃縮室１６２に移動する。そして、残留イオンを含む水は、濃縮水Ｗ７として、濃縮室１６２からＥＤＩ濃縮水ラインＬ５２（後述）を介して脱炭酸装置１５に向けて送出される。脱炭酸装置１５に送出された濃縮水Ｗ７は、封水Ｗ８として利用され、その後、封水排出ラインＬ７１を介して装置の外に排出される。
【０１６７】
脱塩水ラインＬ３は、ＥＤＩスタック１６で得られた脱塩水Ｗ６を純水として需要箇所に向けて送出するラインである。脱塩水ラインＬ３は、上流側脱塩水ラインＬ３１と、下流側脱塩水ラインＬ３２と、を有する。
【０１６８】
上流側脱塩水ラインＬ３１の上流側の端部は、ＥＤＩスタック１６の二次側ポート（脱塩室１６１の出口側）に接続されている。上流側脱塩水ラインＬ３１の下流側の端部は、第２流路切換弁Ｖ７２を介して、下流側脱塩水ラインＬ３２及び脱塩水リターンラインＬ４２に接続されている。上流側脱塩水ラインＬ３１には、上流側から順に、接続部Ｊ３６、接続部Ｊ３７、接続部Ｊ３８、第７開閉弁Ｖ１７、接続部Ｊ６５、接続部Ｊ６４、及び第２流路切換弁Ｖ７２が設けられている。第７開閉弁Ｖ１７は、上流側脱塩水ラインＬ３１の開閉を操作可能な手動弁である。
【０１６９】
第２流路切換弁Ｖ７２は、ＥＤＩスタック１６の脱塩室１６１で得られた脱塩水Ｗ６を、下流側脱塩水ラインＬ３２を介して需要箇所に向けて送出させる流路（採水側流路）、又は、脱塩水リターンラインＬ４２を介してＲＯ膜モジュール７の上流側の供給水ラインＬ１に向けて流通させる流路（循環側流路）に切り換え可能な自動弁である。第２流路切換弁Ｖ７２は、例えば、電動式又は電磁式の三方弁により構成される。第２流路切換弁Ｖ７２は、制御部３０Ａと電気的に接続されている。第２流路切換弁Ｖ７２における流路の切り換えは、制御部３０Ａから送信される流路切換信号により制御される。
【０１７０】
第２流路切換弁Ｖ７２は、制御部３０により採水側流路に切り換えられることにより、ＥＤＩスタック１６で得られた脱塩水Ｗ６を脱塩水ラインＬ３から需要箇所に供給するように送り出す処理を実行可能な送出手段として機能する。
【０１７１】
下流側脱塩水ラインＬ３２の上流側の端部は、第２流路切換弁Ｖ７２に接続されている。下流側脱塩水ラインＬ３２の下流側の端部は、需要箇所の装置等（不図示）に接続されている。
【０１７２】
脱塩水リターンラインＬ４２は、ＥＤＩスタック１６の脱塩室１６１で得られた脱塩水Ｗ６を、脱塩水ラインＬ３の途中から、ＲＯ膜モジュール７の上流側へ返送するラインである。本実施形態において、脱塩水リターンラインＬ４２の上流側の端部は、第２流路切換弁Ｖ７２に接続されている。脱塩水リターンラインＬ４２の下流側の端部は、接続部Ｊ５９に接続されている。脱塩水リターンラインＬ４２は、ＥＤＩスタック１６の脱塩室１６１で得られた脱塩水Ｗ６をＲＯ膜モジュール７の上流側（供給水ラインＬ１）へ返送するラインである。脱塩水リターンラインＬ４２の上流側には、第５逆止弁Ｖ６５が設けられている。
【０１７３】
ＥＤＩ濃縮水ラインＬ５２は、ＥＤＩスタック１６の濃縮室１６２から排出された濃縮水Ｗ７を、脱炭酸装置１５に送出するラインである。ＥＤＩ濃縮水ラインＬ５２の上流側の端部は、ＥＤＩスタック１６の二次側ポート（濃縮室１６２の出口側）に接続されている。ＥＤＩ濃縮水ラインＬ５２の下流側の端部は、脱炭酸装置１５に接続されている。
【０１７４】
本実施形態に係る純水製造装置１Ａは、第１圧力計Ｐ１〜第４圧力計Ｐ４に加えて、第５圧力計Ｐ５及び第６圧力計Ｐ６を有する。図１１Ｃに示すように、第５圧力計Ｐ５は、接続部Ｊ３５において、ＥＤＩ濃縮水ラインＬ５２に接続されている。第６圧力計Ｐ６は、接続部Ｊ３６において、脱塩水ラインＬ３に接続されている。
【０１７５】
本実施形態に係る純水製造装置１Ａは、第１圧力センサＰＳ１及び第２圧力センサＰＳ２に加えて、第３圧力センサＰＳ３及び第４圧力センサＰＳ４を有する。第３圧力センサＰＳ３は、接続部Ｊ３３において、脱塩室流入ラインＬ２１３に接続されている。接続部Ｊ３３は、脱塩室流入ラインＬ２１３の途中に配置されている。第４圧力センサＰＳ４は、接続部Ｊ３４において、濃縮室流入ラインＬ２１４に接続されている。接続部Ｊ３４は、濃縮室流入ラインＬ２１４における第５定流量弁Ｖ５５とＥＤＩスタック１６との間に配置されている。
【０１７６】
本実施形態に係る純水製造装置１Ａは、第２比抵抗センサＲＳ２に加えて、第１比抵抗センサＲＳ１を備える。第１比抵抗センサＲＳ１は、接続部Ｊ３７において、脱塩水ラインＬ３に接続されている。接続部Ｊ３７は、脱塩水ラインＬ３におけるＥＤＩスタック１６と第２流路切換弁Ｖ７２との間に配置されている。第１比抵抗センサＲＳ１は、第２比抵抗センサＲＳ２と同様に、測定された比抵抗値の温度補償のため、温度センサを内蔵している。そのため、第２比抵抗センサＲＳ２は、脱塩水Ｗ６の水温を測定することができる。
【０１７７】
第１比抵抗センサＲＳ１は、第２比抵抗センサＲＳ２と同様に、制御部３０Ａと電気的に接続されている。第１比抵抗センサＲＳ１で測定された脱塩水Ｗ６の比抵抗（及び温度）は、制御部３０Ａへ検出信号として送信される。
【０１７８】
本実施形態に係る純水製造装置１Ａは、第１流量センサＦＭ１に加えて、第２流量センサＦＭ２を有する。第２流量センサＦＭ２は、接続部Ｊ３８において、脱塩水ラインＬ３に接続されている。接続部Ｊ３８は、脱塩水ラインＬ３におけるＥＤＩスタック１６と接続部Ｊ２４（後述）との間に配置されている。
【０１７９】
第２実施形態に係る純水製造装置１Ａは、第１実施形態における第１シリカ濃度センサＳＳ１に代えて第４シリカ濃度センサＳＳ４を備える。第４シリカ濃度センサＳＳ４は、脱塩水ラインＬ３を流通する脱塩水Ｗ６のシリカ濃度を第１検出シリカ濃度値Ｃｐとして検出する機器である。第４シリカ濃度センサＳＳ４は、接続部Ｊ６５において、脱塩水ラインＬ３に接続されている。接続部Ｊ６５は、脱塩水ラインＬ３におけるＥＤＩスタック１６と第２流路切換弁Ｖ７２との間に配置されている。
【０１８０】
第２実施形態においては、希釈装置１８は、第１実施形態と同様に、第２シリカ濃度センサＳＳ２に取り付けられている。第２実施形態の希釈装置１８は、第１実施形態が希釈水として透過水Ｗ２を用いるのに対して、希釈水として脱塩水Ｗ６を用いる点において、第１実施形態の希釈装置１８と異なる。希釈装置１８は、ＲＯ膜モジュール７により分離された濃縮水Ｗ３と、純水製造装置１Ａ内を流通する脱塩水Ｗ６（希釈水）とを混合して希釈濃縮水Ｗ３０（第２希釈濃縮水）を製造する。これにより、希釈装置１８は、ＥＤＩスタック１６により得られた脱塩水Ｗ６を希釈水として用いて、ＲＯ膜モジュール７により分離された濃縮水Ｗ３を希釈する。
【０１８１】
第２実施形態の希釈装置１８においては、第２導入ラインＬ２０２は、脱塩水ラインＬ３を流通するＥＤＩスタック１６により得られた脱塩水Ｗ６を、第１実施形態の透過水導入ラインＬ１１２に代えて脱塩水導入ラインＬ１１３を介して、混合槽１８１に導入するラインである（図６参照）。脱塩水導入ラインＬ１１３の上流側の端部は、接続部Ｊ６４（図１１Ｃ参照）に接続されている。脱塩水導入ラインＬ１１３の下流側の端部は、第２導入ラインＬ２０２の上流側の端部に接続される（図６参照）。脱塩水導入ラインＬ１１３は、接続部Ｊ６４（図１１Ｃ参照）において、脱塩水ラインＬ３（上流側脱塩水ラインＬ３１）と接続されている。接続部Ｊ６４は、上流側脱塩水ラインＬ３１におけるＥＤＩスタック１６と第２流路切換弁Ｖ７２との間に配置される。
【０１８２】
制御部３０Ａは、第１実施形態で説明した流量フィードバック定流量制御と同様の制御が実行される。また、制御部Ａは、第１実施形態における演算シリカ濃度値Ｃｃが許容シリカ濃度値Ｃａとなるように透過水Ｗ２の回収率を調整する制御を実行する。第２実施形態における第２シリカ濃度センサＳＳ２は、第１実施形態で希釈水として透過水Ｗ２を用いたのに代えて、希釈水として脱塩水Ｗ６を用いた点が異なる。そのため、第２実施形態においては、制御部３０Ａは、希釈水を脱塩水Ｗ６とした場合の演算シリカ濃度値Ｃｃを演算する。具体的には、第１実施形態における上記の式（１）において、第２実施形態においては、上記の式（１）におけるＶｐを脱塩水Ｗ６のサンプル水量値とし、Ｃｐを脱塩水Ｗ６の第１検出シリカ濃度値とする。そして、制御部３０Ａは、脱塩水Ｗ６に係るＶｐ，Ｃｐを用いて上記の式（１）から演算シリカ濃度値Ｃｃを演算し、第１実施形態と同様に、演算シリカ濃度値Ｃｃが許容シリカ濃度値Ｃａとなるように回収率を調整する。
【０１８３】
上述した第２実施形態の純水製造装置１Ａにおいても、第１実施形態の純水製造装置１と同じ効果を得ることができる。すなわち、純水製造装置１Ａ内を流通する脱塩水Ｗ６を希釈水として利用して、濃縮水Ｗ３を希釈して希釈濃縮水Ｗ３０を製造することにより、濃縮水Ｗ３のシリカ濃度を演算することができる。これにより、濃度測定レンジに制限のある第２シリカ濃度センサＳＳ２を用いて濃縮水Ｗ３のシリカ濃度を精度よく検出することができると共に、精度よく検出した濃縮水Ｗ３のシリカ濃度に基づいて、回収率を調整することができる。従って、シリカ系スケールの析出を効果的に抑制することができる。
【０１８４】
以上、本発明の好ましい実施形態について説明した。しかし、本発明は、上述した実施形態に限定されることなく、種々の形態で実施することができる。
【０１８５】
上記実施形態においては、加圧ポンプ５の駆動周波数を、速度形ＰＩＤアルゴリズムにより演算する例について説明した。これに限らず、これら加圧ポンプの駆動周波数を位置形ＰＩＤアルゴリズムにより演算してもよい。また、ＰＩＤアルゴリズムに限らず、Ｐアルゴリズム又はＰＩアルゴリズム等により駆動周波数を演算してもよい。
【０１８６】
上記実施形態においては、制御部３０，３０Ａからインバータ６への周波数指定信号として電流値信号を出力する例について説明した。これに限らず、制御部３０，３０Ａからこれらインバータ６への周波数指定信号として電圧値信号（例えば、０〜１０Ｖ）を出力するように構成してもよい。
【０１８７】
上記実施形態においては、原水Ｗ１１中に含まれる硬度成分を除去した軟水Ｗ１２を供給水Ｗ１とする例について説明した。これに限らず、原水Ｗ１１を除鉄除マンガン装置、砂濾過装置、精密濾過膜装置、限外濾過膜装置等により前処理した水を供給水Ｗ１としてもよい。なお、原水Ｗ１１としては、例えば、地下水や水道水等を用いることができる。
【０１８８】
また、上記第１実施形態においては、１段のＲＯ膜モジュール７を備える純水製造装置１において、希釈水として、ＲＯ膜モジュール７により分離された透過水Ｗ２を用いた場合にについて説明した。しかし、これに限らず、直列に並べられた２段のＲＯ膜モジュールを備える純水製造装置において、希釈水として、後段のＲＯ膜モジュールにより分離された後段透過水を用いてもよい。具体的には、供給水を前段透過水（第１透過水）と前段濃縮水（第１濃縮水）とに分離する前段ＲＯ膜モジュール（第１逆浸透膜モジュール）と、前段ＲＯ膜モジュールで分離された前段透過水を後段透過水（第２透過水）と後段濃縮水（第２濃縮水）とに分離する後段ＲＯ膜モジュール（第２逆浸透膜モジュール）と、を備える純水製造装置において、透過水として、後段ＲＯ膜モジュールにより分離された後段透過水を用いてもよい。
【０１８９】
また、上記第２実施形態においては、１段のＲＯ膜モジュール７と、１段のＲＯ膜モジュールの後段に設けられたＥＤＩスタック１６と、を備える純水製造装置において、希釈水として、ＥＤＩスタック１６により得られた脱塩水Ｗ６を用いた場合について説明した。しかし、これに限らず、直列に並べられた２段のＲＯ膜モジュールと、２段のＲＯ膜モジュールの後段に設けられたＥＤＩスタックと、を備える純水製造装置において、希釈水として、ＥＤＩスタックにより製造された脱塩水や、後段ＲＯ膜モジュールにより分離された後段透過水を用いてもよい。
【０１９０】
また、上記第２実施形態においては、ＲＯ膜モジュール７により分離された透過水Ｗ２からＥＤＩスタック１６により脱イオン処理して得られた脱塩水Ｗ６は、水質が良好であり、シリカ濃度が極めて低いと考えられる。そのため、希釈水としての脱塩水Ｗ６のシリカ濃度を検出するセンサを設けずに、ＥＤＩスタック１６により得られた希釈水としての脱塩水Ｗ６のシリカ濃度をゼロと看做して、上記の式（１）において第１検出シリカ濃度値Ｃｐをゼロとして、第２検出シリカ濃度値Ｃｍから演算シリカ濃度値Ｃｃを演算することができる。これにより、希釈水としての脱塩水Ｗ６のシリカ濃度を検出するセンサを設けずに、簡易な構成により、濃縮水Ｗ３の演算シリカ濃度値Ｃｃを演算することができる。
【０１９１】
また、上記第１実施形態において第１シリカ濃度センサＳＳ１と第２シリカ濃度センサＳＳ２とを別々のシリカ濃度センサとして構成し、上記第２実施形態において第４シリカ濃度センサＳＳ４と第２シリカ濃度センサＳＳ２とを別々のシリカ濃度センサとして構成することで、それぞれの検出シリカ濃度値から演算シリカ濃度値を演算したが、これに限られない。第１シリカ濃度センサＳＳ１と第２シリカ濃度センサＳＳ２とを（或いは、第４シリカ濃度センサＳＳ４と第２シリカ濃度センサＳＳ２とを）、２以上の異なる濃度測定レンジを切替可能な単一のシリカ濃度センサ（単一のシリカ濃度検出手段）により構成してもよい。
【０１９２】
例えば、図１２に示すような構成により、単一の第５シリカ濃度センサＳＳ５として構成することができる。図１２は、第１実施形態における第１シリカ濃度センサＳＳ１及び第２シリカ濃度センサＳＳ２を、単一の第５シリカ濃度センサＳＳ５により構成した場合の図である。第５シリカ濃度センサＳＳ５の構成は、図４で示される。図１２に示すように、純水製造装置は、図６に示す構成に加えて、希釈水バイパスラインＬ２０６と、希釈水流通弁１２４と、を備える。希釈水バイパスラインＬ２０６は、透過水導入ラインＬ１１２を流通する透過水Ｗ２（脱塩水Ｗ６）を、直接的に第５シリカ濃度センサＳＳ５へ導入させるラインである。希釈水バイパスラインＬ２０６は、透過水導入ラインＬ１１２と希釈濃縮水導入ラインＬ２０５とを接続する。希釈水バイパスラインＬ２０６の上流側の端部は、透過水導入ラインＬ１１２の途中に設けられる接続部Ｊ６７に接続される。希釈水バイパスラインＬ２０６の上流側の端部は、希釈濃縮水導入ラインＬ２０５の途中に設けられる接続部Ｊ６６に接続される。希釈水流通弁１２４は、希釈水バイパスラインＬ２０６の途中に設けられる。
【０１９３】
このような構成において、電磁弁１２３と希釈水流通弁１２４との開閉を切り替えることで、希釈濃縮水Ｗ３０又は希釈水（透過水Ｗ２、脱塩水Ｗ６）の濃度センサへの導入を択一的に行うことができる。その結果、単一の第５シリカ濃度センサＳＳ５を使用しつつ、濃縮水Ｗ３の演算シリカ濃度値Ｃｃを演算することができる。なお、本実施形態においては２つの異なる濃度測定レンジを切替可能としたが、これに制限されず、２以上の異なる濃度測定レンジの切り替えが可能となるように適宜導入ライン及び切替弁を設けてもよい。
【０１９４】
また、上記実施形態においては、濃縮水Ｗ３のシリカ溶解度Ｓｓが決定される水温として、第１温度センサＴＥ１により検出された供給水Ｗ１の検出温度値Ｔを例にして説明した。しかし、水温の検出対象は供給水Ｗ１に限らない。ＲＯ膜モジュール７の一次側入口ポートから供給される供給水Ｗ１の温度と一次側出口ポートから排出される濃縮水Ｗ３の温度とは、ＲＯ膜モジュール７おける同じ一次側を流通する水であるため、温度を一定と考えることができる。そのため、濃縮水Ｗ３のシリカ溶解度Ｓｓが決定される水温として、ＲＯ膜モジュール７により分離された濃縮水Ｗ３の検出温度値Ｔを使用してもよい。
【０１９５】
また、上記実施形態では、第１排水弁Ｖ３２〜第３排水弁Ｖ３４の開放数を選択することにより、濃縮水Ｗ３の排水流量を段階的に調節する例について説明した。これに限らず、例えば、ＲＯ濃縮水排出ラインＬ６１を分岐させずに、当該ＲＯ濃縮水排出ラインＬ６１に比例制御弁を設けた構成としてもよい。この場合、制御部（３０，３０Ａ）から電流値信号を比例制御弁に送信して弁開度を制御することにより、濃縮水Ｗ３の排水流量を調節することができる。
【０１９６】
また、上記実施形態では、ＲＯ膜モジュール７のサブモジュールの数を３つとしたが、これに限定されず、サブモジュールの数は、２つであってもよいし、４つ以上であってもよい。
【符号の説明】
【０１９７】
１，１Ａ  純水製造装置（水処理装置）
７  ＲＯ膜モジュール（第１逆浸透膜モジュール）
１６  ＥＤＩスタック（電気脱イオンスタック：脱イオン部）
１８  希釈装置（希釈手段）
３０  制御部
６０  主表示部（報知手段）
７１  第１サブモジュール（サブモジュール）
７２  第２サブモジュール（サブモジュール）
７３  第３サブモジュール（サブモジュール）
１８１  混合槽
１８２  容積式タービン部（駆動部）
１８３  容積式ポンプ部（従動部）
ＳＳ１  第１シリカ濃度センサ（第１シリカ濃度検出手段）
ＳＳ２  第２シリカ濃度センサ（第２シリカ濃度検出手段、第４シリカ濃度検出手段）
ＳＳ３Ａ  第３Ａシリカ濃度センサ（第３シリカ濃度検出手段）
ＳＳ３Ｂ  第３Ｂシリカ濃度センサ（第３シリカ濃度検出手段）
ＳＳ４  第４シリカ濃度センサ（第１シリカ濃度検出手段）
ＳＳ５  第５シリカ濃度センサ（単一のシリカ濃度測定手段）
ＴＥ１  第１温度センサ（温度検出手段）
Ｗ１供給水
Ｗ２  透過水（第１透過水）
Ｗ３  濃縮水（第１濃縮水）
Ｗ６  脱塩水（脱イオン水）
Ｗ７  濃縮水
Ｗ３０  希釈濃縮水（第１希釈濃縮水、第２希釈濃縮水）
【図１】
2015166068.tif 000003
【図２Ａ】
2015166068.tif 000004
【図２Ｂ】
2015166068.tif 000005
【図２Ｃ】
2015166068.tif 000006
【図３】
2015166068.tif 000007
【図４】
2015166068.tif 000008
【図５】
2015166068.tif 000009
【図６】
2015166068.tif 000010
【図７】
2015166068.tif 000011
【図８】
2015166068.tif 000012
【図９】
2015166068.tif 000013
【図１０】
2015166068.tif 000014
【図１１Ａ】
2015166068.tif 000015
【図１１Ｂ】
2015166068.tif 000016
【図１１Ｃ】
2015166068.tif 000017
【図１２】
2015166068.tif 000018